(57)【要約】  【課題】  衛星放送を利用した教育システムにおいて、先生側の映像等を全て生徒に送信しているため、例えば、生徒に見せたくない情報まで送信されてしまうという問題がある。  【解決手段】  ディスプレイを有する先生用の端末である第一端末とディスプレイを有する生徒用の端末である１以上の第二端末を有する教育用の情報処理システムであって、第一端末は、１以上の情報を格納している第一情報格納部と、第一情報格納部に格納されている少なくとも一の情報をディスプレイ上の特定の一部分の領域に表示する第一情報表示部を具備し、第二端末は、第一端末の第一情報表示部の特定の一部分の領域に表示されている情報を受信する第二情報受信部と、第二情報受信部が受信した情報を、ディスプレイ上の全体または一部の領域に表示する第二情報表示部を具備する教育用の情報処理システムである。【選択図】  図１
2005043791.tif 000002
【特許請求の範囲】
【請求項１】
ディスプレイを有する先生用の端末である第一端末とディスプレイを有する生徒用の端末である１以上の第二端末を有する教育用の情報処理システムであって、前記第一端末は、
１以上の情報を格納している第一情報格納部と、
前記第一情報格納部に格納されている少なくとも一の情報をディスプレイ上の特定の一部分の領域に表示する第一情報表示部を具備し、
前記第二端末は、
前記第一端末の前記ディスプレイ上の特定の一部分の領域に表示されている情報を受信する第二情報受信部と、
前記第二情報受信部が受信した情報を、ディスプレイ上の全体または一部の領域に表示する第二情報表示部を具備する教育用の情報処理システム。
【請求項２】
ディスプレイを有する先生用の端末である第一端末とディスプレイを有する生徒用の端末である１以上の第二端末とサーバ装置を有する教育用の情報処理システムであって、
前記第一端末は、
表示する情報を特定するための指示である表示指示を受け付ける表示指示受付部と、
前記表示指示に基づいて表示する情報を特定するための情報である表示情報識別子を前記サーバ装置に送信する表示情報識別子送信部と、
前記表示情報識別子の送信に基づいて、前記サーバ装置から前記表示情報識別子で識別される情報を受信する第一情報受信部と、
前記第一情報受信部が受信した情報をディスプレイ上の特定の一部分の領域に表示する第一情報表示部を具備し、
前記サーバ装置は、
１以上の情報を格納している第三情報格納部と、
前記第一端末から表示情報識別子を受信する表示情報識別子受信部と、
前記表示情報識別子受信部における表示情報識別子の受信に基づいて、前記表示情報識別子で識別される情報を前記第三情報格納部から取得する情報取得部と、
前記情報取得部が取得した情報を、前記第一端末および前記１以上の第二端末に送信する第三情報送信部を具備し、
前記第二端末は、
前記サーバ装置から情報を受信する第二情報受信部と、
前記第二情報受信部が受信した情報を、ディスプレイ上の全体または一部の領域に表示する第二情報表示部を具備する教育用の情報処理システム。
【請求項３】
前記第一情報表示部は、
少なくとも一の情報をディスプレイ上の特定の一部分の領域に表示し、かつ前記特定の一部分の領域とは別の領域に、２以上の情報を一覧表示し、
前記第一端末は、
前記一覧表示された２以上の情報のうちの一の情報の選択の指示を受け付ける情報選択指示受付部を具備し、
前記第一情報表示部は、前記指示に従って、ディスプレイ上の特定の一部分の領域に表示する情報を切り替え、
前記第二端末の前記第二情報表示部は、前記第一情報表示部が新たに表示した情報をディスプレイ上の全体または一部の領域に表示する請求項１または請求項２いずれか記載の教育用の情報処理システム。
【請求項４】
前記第二端末は２以上存在し、
前記第二端末は、
前記第二情報表示部が表示する情報に対する入力情報を受け付ける第二入力受付部と、
前記入力情報を送信する第二情報送信部をさらに具備し、
前記第一端末の第一情報表示部は、
さらに前記２以上の第二端末が送信した２以上の入力情報または当該２以上の入力情報に基づく２以上の情報を別の領域に表示する請求項１から請求項３いずれか記載の教育用の情報処理システム。
【請求項５】
前記第一端末は、
前記第一情報表示部がディスプレイ上の特定の一部分の領域に情報を表示した後に、当該情報に関連する情報である関連情報を第二端末へ送信する指示を受け付ける関連情報送信指示受付部と、
前記第二端末は、
前記関連情報を受信する関連情報受信部と、
前記関連情報受信部が受信した関連情報を表示する関連情報表示部をさらに具備する請求項１から請求項４いずれか記載の教育用の情報処理システム。
【請求項６】
前記第二端末は、
前記関連情報表示部が関連情報を表示する際に、ディスプレイに表示されている他の情報を非表示の状態にする請求項５記載の教育用の情報処理システム。
【請求項７】
前記関連情報は、前記情報に関連するテストの問題を示す情報である請求項５または請求項６いずれか記載の教育用の情報処理システム。
【請求項８】
ディスプレイを有する先生用の端末である第一端末とディスプレイを有する生徒用の端末である１以上の第二端末を有する教育用の情報処理システムであって、前記第一端末のディスプレイ上の特定の一部分の領域に表示されている情報は、前記第二端末のディスプレイ上の全体または一部の領域に表示されることを特徴とする教育用の情報処理システム。
【請求項９】
ディスプレイをさらに具備し、
前記第一端末は、
第二端末を選択する指示である第二端末選択指示を受け付ける第二端末選択指示受付部をさらに具備し、
前記第二端末選択指示で特定される第二端末に表示されている情報の全部または一部が前記ディスプレイに表示される請求項１から請求項８いずれか記載の教育用の情報処理システム。
【請求項１０】
コンピュータに、
予め格納されている少なくとも一の情報をディスプレイ上の特定の一部分の領域に表示する第一情報表示ステップを実行させるためのプログラム。
【請求項１１】
コンピュータに、
前記ディスプレイ上の特定の一部分の領域に表示されている情報を受信する第二情報受信ステップと、
前記第二情報受信ステップが受信した情報を、ディスプレイ上の全体または一部の領域に表示する第二情報表示ステップを実行させるためのプログラム。
【請求項１２】
コンピュータに、
表示する情報を特定するための指示である表示指示を受け付ける表示指示受付ステップと、
前記表示指示に基づいて表示する情報を特定するための情報である表示情報識別子を前記サーバ装置に送信する表示情報識別子送信ステップと、
前記表示情報識別子の送信に基づいて、前記表示情報識別子で識別される情報を受信する第一情報受信ステップと、
前記第一情報受信ステップが受信した情報をディスプレイ上の特定の一部分の領域に表示する第一情報表示ステップを実行させるためのプログラム。
【請求項１３】
コンピュータに、
表示情報識別子を受信する表示情報識別子受信ステップと、
前記表示情報識別子受信ステップにおける表示情報識別子の受信に基づいて、前記表示情報識別子で識別される情報を取得する情報取得ステップと、
前記情報取得ステップが取得した情報を、前記第一端末および前記１以上の第二端末に送
信する第三情報送信ステップを実行させるためのプログラム。
【請求項１４】
コンピュータに、
情報を受信する第二情報受信ステップと、
前記第二情報受信ステップが受信した情報を、ディスプレイ上の全体または一部の領域に表示する第二情報表示ステップを実行させるためのプログラム。
【請求項１５】
コンピュータに、
少なくとも一の情報をディスプレイ上の特定の一部分の領域に表示し、かつ前記特定の一部分の領域とは別の領域に、２以上の情報を一覧表示するステップと、
前記一覧表示された２以上の情報のうちの一の情報の選択の指示を受け付ける情報選択指示受付ステップと、
前記指示に従って、ディスプレイ上の特定の一部分の領域に表示する情報を切り替える第一情報表示ステップを実行させるためのプログラム。
【請求項１６】
コンピュータに、
前記指示に従って、ディスプレイ上の特定の一部分の領域に表示された情報をディスプレイ上の全体または一部の領域に表示する第二情報表示ステップを実行させるためのプログラム。
【請求項１７】
コンピュータに、
表示している情報に対する入力情報を受け付ける第二入力受付ステップと、
前記入力情報を送信する第二情報送信ステップを実行させるためのプログラム。
【請求項１８】
コンピュータに、
２以上の入力情報または当該２以上の入力情報に基づく２以上の情報を別の領域に表示する第一情報表示ステップを実行させるためのプログラム。
【請求項１９】
コンピュータに、
ディスプレイ上の特定の一部分の領域に情報を表示した後に、当該情報に関連する情報である関連情報を第二端末へ送信する指示を受け付ける関連情報送信指示受付ステップを実行させるためのプログラム。
【請求項２０】
コンピュータに、
前記関連情報を受信する関連情報受信ステップと、
前記関連情報受信ステップで受信した関連情報を表示する関連情報表示ステップを実行させるためのプログラム。
【請求項２１】
コンピュータに、
関連情報を表示する際に、ディスプレイに表示されている情報を非表示の状態にする非表示ステップを実行させることをさらに有する請求項２０記載のプログラム。
【請求項２２】
コンピュータに、
第二端末を選択する指示である第二端末選択指示を受け付ける第二端末選択指示受付ステップを実行させるためのプログラム。
【請求項２３】
コンピュータに、
前記第二端末選択指示で特定される第二端末に表示されている情報の全部または一部を前記ディスプレイに表示する表示ステップを実行させるためのプログラム。
【発明の詳細な説明】
【技術分野】
【０００１】
本発明は、教育用の情報処理システム等に関する。
【背景技術】
【０００２】
従来から、ネットワークを利用した英会話教育システムがある。この教育システムは、先生の端末と生徒の端末をネットワークで接続し、双方向に音声、データ等のやり取りを行えるものである（非特許文献１参照）。
【０００３】
また、従来から、衛星放送を利用した教育システムがある。遠隔地の先生の講義内容（音声、映像、黒板等に記載された講義内容等を含む）が放送されることにより、生徒は、その先生の講義を受けられるものである（非特許文献２参照）。
【非特許文献１】株式会社ＮＯＶＡホームページ、インターネット<ｈｔｔｐ：／／ｗｗｗ．ｎｏｖａ．ｎｅ．ｊｐ／>
【非特許文献２】株式会社ナガセホームページ、インターネット<ｈｔｔｐ：／／ｗｗｗ．ｔｏｓｈｉｎ．ａｃ．ｊｐ／ｅｓ／ｉｎｄｅｘ．ｈｔｍｌ>
【発明の開示】
【発明が解決しようとする課題】
【０００４】
ネットワークを利用した英会話教育システム、また衛星放送を利用した教育システムにおいては、先生側の映像、データ等を全て生徒に送信しているため、例えば、全生徒に見せたくない情報まで送信されてしまうという問題があった。そこで、本発明は、先生のディスプレイに表示された全情報を、生徒に送信せず、必要な情報のみ送信し、生徒のディスプレイに表示させることを提供することを課題とする。
【０００５】
また、上記の英会話教育システム、また衛星放送を利用した教育システムにおいては、授業に対する生徒の理解度を把握することが困難であった。また、生徒の理解度を測るために、小テスト、期末テスト等を行っていた。かかる場合、授業後の採点結果によって、生徒の理解度が把握されるため、授業が終了してから生徒の理解度を把握することになる。すなわち、授業中に生徒の理解度を把握するのではなく、授業が終了してから生徒の理解度を把握していた。そこで、授業内容を理解させながら授業を進行するために、先生が生徒の理解度を把握しながら、授業内容の情報等を生徒のディスプレイに表示させることが、本発明の課題である。
【０００６】
また、生徒の理解度が低い場合、先生は、後日、同様の説明（補習授業等）を行う必要があった。しかし、限られた授業時間で再度同じ授業を行うことは、現実的に難しい。先生が、授業中に生徒の理解度をリアルタイムに把握できれば、後日の説明は必要なく、上記の時間的制約の問題も生じない。本発明は、リアルタイムに生徒の理解度を把握できるようにすることが課題である。リアルタイムに生徒の理解度を把握する手段として、生徒のメモ書き、意見、ノート等を確認する、小テストを行う等の方法がある。そこで、生徒のノートを確認する手段と、小テストを行う手段を用いて、リアルタイムで生徒の理解度を把握できるようにすることを提供することが、本発明の課題である。
【０００７】
また、上記の英会話教育システム、また衛星放送を利用した教育システムにおいては、生徒のノートや小テストの模範回答等を表示させることはできなかった。生徒のノートは、先生が説明した内容に対して、生徒が理解した内容を書くものであり、生徒のノートか
ら生徒の理解度が把握できる。また、優秀なノートや小テストの模範回答等は、他の生徒の模範ノート、模範回答として利用できる。そこで、生徒が端末に入力した情報、小テストの模範回答等をディスプレイに表示させることを提供することが、本発明の課題である。
【課題を解決するための手段】
【０００８】
以上の課題を解決するために、本発明は、ディスプレイを有する先生用の端末である第一端末とディスプレイを有する生徒用の端末である１以上の第二端末を有する教育用の情報処理システムであって、第一端末は、１以上の情報を格納している第一情報格納部と、第一情報格納部に格納されている少なくとも一の情報をディスプレイ上の特定の一部分の領域に表示する第一情報表示部を具備し、第二端末は、第一端末の第一情報表示部の特定の一部分の領域に表示されている情報を受信する第二情報受信部と、第二情報受信部が受信した情報を、ディスプレイ上の全体または一部の領域に表示する第二情報表示部を具備する教育用の情報処理システムである。本情報処理システムによって、先生のディスプレイに表示された一部の必要な情報のみを生徒のディスプレイに表示できる。全ての生徒に見せられない、例えば、小テストの解答、指導マニュアル等を表示させないようにできる。
【０００９】
また、他の発明は、ディスプレイを有する先生用の端末である第一端末とディスプレイを有する生徒用の端末である１以上の第二端末とサーバ装置を有する教育用の情報処理システムであって、第一端末は、第一情報表示部が表示する情報を特定するための指示である表示指示を受け付ける表示指示受付部と、表示指示に基づいて表示する情報を特定するための情報である表示情報識別子をサーバ装置に送信する表示情報識別子送信部と、表示情報識別子の送信に基づいて、サーバ装置から表示情報識別子で識別される情報を受信する第一情報受信部と、第一情報受信部が受信した情報をディスプレイ上の特定の一部分の領域に表示する第一情報表示部を具備し、サーバ装置は、１以上の情報を格納している第三情報格納部と、第一端末から表示情報識別子を受信する表示情報識別子受信部と、表示情報識別子受信部における表示情報識別子の受信に基づいて、表示情報識別子で識別される情報を第三情報格納部から取得する情報取得部と、情報取得部が取得した情報を、第一端末および１以上の第二端末に送信する第三情報送信部を具備し、第二端末は、サーバ装置から情報を受信する第二情報受信部と、第二情報受信部が受信した情報を、ディスプレイ上の全体または一部の領域に表示する第二情報表示部を具備する教育用の情報処理システムである。
【００１０】
また、他の本発明は、第一情報表示部は、少なくとも一の情報をディスプレイ上の特定の一部分の領域に表示し、かつ特定の一部分の領域とは別の領域に、２以上の情報を一覧表示し、第一端末は、一覧表示された２以上の情報のうちの一の情報の選択の指示を受け付ける情報選択指示受付部を具備し、第一情報表示部は、指示に従って、ディスプレイ上の特定の一部分の領域に表示する情報を切り替え、第二端末の前記第二情報表示部は、第一情報表示部が新たに表示した情報をディスプレイ上の全体または一部の領域に表示する上記いずれか記載の教育用の情報処理システムである。本発明により、先生が生徒の理解度を把握しながら、授業内容の情報等を生徒のディスプレイに任意に表示させ、落伍者がでることなく授業を行える。よって、先生は、生徒の反応を確認しながら、次の情報を表示させることができる。例えば、生徒が理解できていないような反応であれば、補足説明用の情報を表示させることが可能である。また、生徒が理解できているような反応であれば、次の情報を表示させることができる。
【００１１】
また、他の本発明は、第二端末は２以上存在し、第二端末は、第二情報表示部が表示している情報に対する入力情報を受け付ける第二入力受付部と、入力情報を送信する第二情報送信部をさらに具備し、第一端末の第一情報表示部は、さらに２以上の第二端末が送信
した２以上の入力情報または当該２以上の入力情報に基づく２以上の情報を別の領域に表示する上記いずれか記載の教育用の情報処理システムである。本情報処理システムによって、生徒が端末に入力した内容を先生の端末に表示できる。よって、先生は、その入力内容から、生徒の理解度を把握でき、生徒の理解度に応じて授業を行える。
【００１２】
また、他の本発明は、第一端末は、第一情報表示部がディスプレイ上の特定の一部分の領域に情報を表示した後に、当該情報に関連する情報である関連情報を第二端末へ送信する指示を受け付ける関連情報送信指示受付部と、第二端末は、関連情報を受信する関連情報受信部と、関連情報受信部が受信した関連情報を表示する関連情報表示部をさらに具備する請求項１から請求項５いずれか記載の教育用の情報処理システムである。本情報処理システムによって、関連情報、例えば、小テストを生徒の端末に表示できる。よって、先生は、小テストを簡単に行える。また、多肢選択式の小テストの場合、採点を自動で行い、この採点結果から、先生は補足説明するか、次の情報を表示させるか否かを簡単に判断でき、生徒の理解度に応じた授業を行える。
【００１３】
また、他の本発明は、ディスプレイをさらに具備し、第一端末は、第二端末を選択する指示である第二端末選択指示を受け付ける第二端末選択指示受付部をさらに具備し、第二端末選択指示で特定される第二端末に表示されている情報の全部または一部がディスプレイに表示される請求項１から請求項８いずれか記載の教育用の情報処理システムである。本情報処理システムによって、優秀なノートや小テストの模範回答等をディスプレイに表示できる。よって、一部の生徒の優秀なノートを他の生徒に説明して、全生徒の理解度を向上させることができる。また、小テストの優秀答案、模範回答等を表示させて、それらと自分のものを比較させることができ、結果、全生徒の理解度を向上させることができる。
【発明の効果】
【００１４】
本発明によれば、先生用端末のディスプレイに表示された一部の必要な情報のみを生徒用端末のディスプレイに表示できる。また、かかる表示は、生徒の理解度を把握しながら表示できる。また、生徒の入力情報を先生用端末のディスプレイに表示できる。よって、先生は、その入力情報の内容から、生徒の理解度を把握でき、生徒の理解度に応じて授業を行える。したがって、本教育システムを用いれば、先生は、生徒の理解度を簡単に把握しながら授業を行える。そして、かかる授業形態によって、生徒は授業内容を確実に理解できる。
【発明を実施するための最良の形態】
【００１５】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１６】
（実施の形態１）
図１は、本実施の形態における情報処理システムの構成を示すブロック図である。情報処理システムは、第一端末１０１と１以上の第二端末１０２を有して構成されている。第一端末１０１は、表示指示受付部１０１１、第一情報表示部１０１２、第一情報格納部１０１３、第一ディスプレイ１０１４、第一情報送信部１０１５を有する。第二端末１０２は、第二情報受信部１０２１、第二情報表示部１０２２、第二ディスプレイ１０２３を有する。なお、第一端末１０１と第二端末１０２は、通常の電子計算機が有するＣＰＵ、メインメモリ、記録媒体（例えば、ＲＯＭ、ＥＰＲＯＭ等）等のハードウエア資源、および周辺装置（例えば、キーボード、マウス等の入力デバイス等）を具備する（図示しない）。以下、他の実施の形態においても同様である。
【００１７】
表示指示受付部１０１１は、第一情報表示部１０１２が表示する情報を特定するための指示である表示指示を受け付ける。ここで「情報」とは、学習や授業等の指導内容に関する情報であり、例えば、教本テキスト、図、表、テスト問題、テスト解答、補足資料等がある。表示指示受付部１０１１は、キーボード、マウス等の入力デバイスおよびそのドライバーソフト等や、メニュー画面の制御ソフトウェア等で実現されうる。なお、表示指示受付部１０１１は、あってもなくても良い。表示指示受付部１０１１がない場合、第一情報表示部１０１２は、アプリケーションプログラムが起動した後、予め決められた情報を第一情報格納部１０１３から読み出し、当該情報を第一ディスプレイ１０１４上の特定の一部分の領域に表示するものでも良い。
【００１８】
第一情報表示部１０１２は、表示指示受付部１０１１が受け付けた表示指示に基づいて、第一情報格納部１０１３に格納されている少なくとも一の情報を取得し、当該情報を第一ディスプレイ１０１４上の特定の一部分の領域に表示する。ここで「特定の一部分の領域に表示される情報」は、第二端末１０２に送信される情報である。また、第一情報表示部１０１２は、第一ディスプレイ１０１４上の特定の一部分の領域以外の領域に、その他の情報を表示しても良い。なお、ここで「その他の情報」とは、第二端末１０２に送信されない情報である。第一情報表示部１０１２は、通常、ＭＰＵやメモリ等から実現され得る。「情報を特定の一部分の領域に表示する」ための処理手順は、通常、ソフトウェアで実現され、当該ソフトウェアはＲＯＭ等の記録媒体に記録されている。但し、ハードウェア（専用回路）で実現しても良い。
【００１９】
第一情報格納部１０１３は、１以上の情報を格納している。なお、「格納」とは、一時的な格納も含む概念である。第一情報格納部１０１３は、不揮発性の記録媒体が好適であるが、揮発性の記録媒体でも良い。
【００２０】
第一ディスプレイ１０１４は、例えば、液晶ディスプレイ、プラズマディスプレイ、ＣＲＴとその各々に対応するドライバーソフト等を有して実現されうる。
【００２１】
第一情報送信部１０１５は、第一ディスプレイ１０１４上の特定の一部分の領域に表示されている情報を第二端末１０２に送信する。第一情報送信部１０１５は、例えば、ネットワークカードとそのドライバーソフト等を有して実現されうる。なお、第一情報送信部１０１５は、「情報」を第二端末１０２に直接送信してもよく、または、その他の情報処理装置を介して、「情報」を第二端末１０２に送信しても良い、
第二情報受信部１０２１は、第一ディスプレイ１０１４上の特定の一部分の領域に表示されている情報を第一端末１０１から受信する。第二情報受信部１０２１は、例えば、ネットワークカードとそのドライバーソフト等を有して実現されうる。なお、第二情報受信部１０２１は、「情報」を第一端末１０１から直接受信してもよく、または、その他の情報処理装置を介して、「情報」を受信しても良い。
【００２２】
第二情報表示部１０２２は、第二情報受信部１０２１が受信した情報を、第二ディスプレイ１０２３上の全体または一部の領域に表示する。第二情報表示部１０２２は、通常、ＭＰＵやメモリ等から実現され得る。「表示する」ための処理手順は、通常、ソフトウェアで実現され、当該ソフトウェアはＲＯＭ等の記録媒体に記録されている。但し、ハードウェア（専用回路）で実現しても良い。
【００２３】
第二ディスプレイ１０２３は、例えば、液晶ディスプレイ、プラズマディスプレイ、ＣＲＴとその各々に対応するドライバーソフト等を有して実現されうる。
【００２４】
以下、本実施の形態における第一端末１０１の動作について図２のフローチャートを用いて説明する。
【００２５】
（ステップＳ２０１）表示指示受付部１０１１は、第一情報表示部１０１２が表示する情報を特定するための指示である表示指示を受け付けたか否かを判断する。表示指示受付部１０１１が受け付けた場合、ステップＳ２０２に行き、受け付けない場合、ステップＳ２０５に行く。
【００２６】
（ステップＳ２０２）第一情報表示部１０１２は、ステップＳ２０１で表示指示受付部１０１１が受け付けた表示指示に基づいて、第一情報格納部１０１３に格納されている少なくとも一の情報を取得する。
【００２７】
（ステップＳ２０３）第一情報表示部１０１２は、ステップＳ２０２で取得した情報を第一ディスプレイ１０１４に表示する。第一情報表示部１０１２は、第二端末１０２に送信される情報を、特定の一部分の領域に表示する。第一情報表示部１０１２は、第二端末１０２に送信しないその他の情報を、特定の一部分の領域以外の領域に表示する。
【００２８】
（ステップＳ２０４）第一情報送信部１０１５は、ステップＳ２０３において特定の一部分の領域に表示した情報を第二端末１０２に送信する。ステップＳ２０１に戻る。
【００２９】
（ステップＳ２０５）第一端末１０１は、終了する指示の入力を受け付けたか否かを判断する。第一端末１０１は、終了する指示の入力を受け付けた場合、終了する。第一端末１０１は、終了する指示の入力を受け付けない場合、ステップＳ２０１に戻る。なお、終了する指示の入力は、第一端末１０１の電源オフの入力や動作終了の割り込み等の入力等である。
【００３０】
次に、本実施の形態における第二端末１０２の動作について図３のフローチャートを用いて説明する。
【００３１】
（ステップＳ３０１）第二情報受信部１０２１は、第一ディスプレイ１０１４上の特定の一部分の領域に表示されている情報を第一端末１０１から受信したか否かを判断する。第二情報受信部１０２１が受信した場合、ステップＳ３０２に行き、受信しない場合、ステップＳ３０３に戻る。
【００３２】
（ステップＳ３０２）第一情報表示部１０１２は、ステップＳ３０１で受信した情報を第二ディスプレイ１０２３上の全体または一部の領域に表示する。ステップＳ３０１に戻る。
【００３３】
（ステップＳ３０３）第二端末１０２は、終了する指示の入力を受け付けたか否かを判断する。第二端末１０２は、終了する指示の入力を受け付けた場合、終了する。第二端末１０２は、終了する指示の入力を受け付けない場合、ステップＳ３０１に戻る。なお、終了する指示の入力は、第二端末１０２の電源オフの入力や動作終了の割り込み等の入力等である。
【００３４】
以下、本実施の形態における情報処理システムの具体的な動作について説明する。図４は、情報処理システムの概念の例を示す図である。図４において、情報処理システムは、先生用の第一端末１０１と１以上の生徒用の第二端末１０２を有して構成されている。また、先生用の第一端末１０１と各々の生徒用の第二端末１０２は、直接に接続されている。なお「接続」の態様は、有線、無線を問わない。
【００３５】
今、第一端末１０１において、本発明のアプリケーションソフトを起動する。図５は、第一ディスプレイ１０１４の表示例を示す図である。図５において、「オペレーション画面」ウインドウが表示されている。この「オペレーション画面」は、情報が表示される領域「Ａ領域」、「Ｂ領域」、「Ｃ領域」と、操作ボタンを有している。
【００３６】
以下に、情報が表示される動作について説明する。まず、操作ボタンの「Ｓ」ボタンをクリックする。ここで「操作ボタンの「Ｓ」ボタンをクリックする」ことは、表示指示受
付部１０１１が表示指示を受け付けたことを意味する。
【００３７】
「Ｓ」ボタンをクリックした結果、第一情報表示部１０１２は、第一情報格納部１０１３から「情報」を取得する。図６は、「情報」のデータ例を示す図である。図６において、「情報」は、情報名、情報のデータを有する。なお、第一情報表示部１０１２は、「情報」を取得する場合、１以上の情報を一度に取得しても良く、一度に取得しなくても良い。１以上の「情報」が一度に取得された場合、１以上の「情報」はメモリ等に保持されるものでも良い。
【００３８】
次に、第一情報表示部１０１２は、第一情報格納部１０１３から取得した「情報」を、第一ディスプレイ１０１４上の特定の一部分の領域「Ａ領域」に表示する。また、第一情報表示部１０１２は、「その他の情報」を第一ディスプレイ１０１４上の特定の一部分の領域以外の「Ｂ領域」と「Ｃ領域」に表示する。「その他の情報」とは、上記で説明したものと同様、第二端末１０２に送信しない情報である。図７は、「オペレーション画面」ウインドウの表示例を示す図である。図７において、「Ａ領域」には、「情報（第２章大地の変化のテキスト）」が表示されている。「Ｂ領域」には、例えば、補足資料（１、大地とは・・・）の情報等が表示されている。「Ｃ領域」には、例えば、学習指導ポイント（１、図を用いて・・・）の情報等が表示されている。なお、「Ｂ領域」および「Ｃ領域」に表示されている情報は、例えば、生徒に見せたくない情報等である。なお、「Ｂ領域」と「Ｃ領域」に表示されている情報のうち、見せても良い情報は、「Ａ領域」に表示させ、生徒の第二端末１０２に送信しても良い。
【００３９】
次に、第一情報送信部１０１５は、「Ａ領域」に表示された「情報」を第二端末１０２に送信する。１以上の第二端末１０２が存在する場合、第一情報送信部１０１５は、１以上の第二端末１０２の全てに送信するものでもよく、特定の第二端末１０２を指定して送信しても良い。かかる場合、例えば、欠席している生徒の第二端末１０２には送信せず、出席している生徒の第二端末１０２にのみ「情報」を送信しても良い。
【００４０】
第二情報受信部１０２１は、「情報」を第一端末１０１から受信する。そして、第二情報表示部１０２２は、第二情報受信部１０２１が受信した「情報」を第二ディスプレイ１０２３上の一部の領域に表示する。なお、第二情報表示部１０２２は、第二ディスプレイ１０２３上の全部の領域に表示してもよい。図８は、第二ディスプレイの表示例を示す図である。図８において、第二ディスプレイ１０２３上の一部の領域には、「生徒Ａ画面」ウインドウが表示されている。「情報」は、「生徒Ａ画面」ウインドウの一部の表示領域に表示される。
【００４１】
以上、本実施の形態によれば、先生用端末のディスプレイに表示された一部の必要な情報のみを生徒用端末のディスプレイに表示できる。全ての生徒に見せられない、例えば、小テストの解答、指導マニュアル等を表示させないようにできる。
【００４２】
なお、本実施の形態において説明した情報処理システムの動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における動作をソフトウェアで実現した場合のプログラムは、以下のようになる。コンピュータに、予め格納されている少なくとも一の情報をディスプレイ上の特定の一部分の領域に表示する第一情報表示ステップを実行させるためのプログラムである。
【００４３】
また、コンピュータに、第一端末のディスプレイ上の特定の一部分の領域に表示されている情報を受信する第二情報受信ステップと、第二情報受信ステップが受信した情報を、ディスプレイ上の全体または一部の領域に表示する第二情報表示ステップを実行させるためのプログラムである。
【００４４】
（実施の形態２）
図９は、本実施の形態における情報処理システムの構成を示すブロック図である。情報処理システムは、第一端末９０１、サーバ装置９０２、１以上の第二端末９０３を有して構成されている。第一端末９０１は、表示指示受付部９０１１、第一情報表示部９０１２、表示情報識別子送信部９０１３、第一情報受信部９０１４、第一ディスプレイ１０１４を有する。サーバ装置９０２は、表示情報識別子受信部９０２１、情報取得部９０２２、第三情報格納部９０２３、第三情報送信部９０２４を有する。第二端末９０３は、第二情報受信部９０３１、第二情報表示部１０２２、第二ディスプレイ１０２３を有する。なお、サーバ装置９０２は、通常の電子計算機が有するＣＰＵ、メインメモリ、記録媒体（例えば、ＲＯＭ、ＥＰＲＯＭ等）等のハードウエア資源、および周辺装置（例えば、キーボード、マウス等の入力デバイス、ディスプレイ等の出力デバイス）を具備する（図示しない）。以下、他の実施の形態においても同様である。
【００４５】
表示指示受付部９０１１は、表示指示を受け付ける。「表示指示」とは第一情報表示部９０１２が表示する情報を特定するための指示である。表示指示受付部１０１１は、キーボード、マウス等の入力デバイスおよびそのドライバーソフト等や、メニュー画面の制御ソフトウェア等で実現されうる。
【００４６】
第一情報表示部９０１２は、表示指示受付部９０１１が受け付けた表示指示に基づいて表示する「情報」を特定するための情報である表示情報識別子を取得する。なお、「表示情報識別子を取得する」ための詳細は、後述する。また、第一情報表示部１０１２は、第一情報受信部９０１４が受信した「情報」を第一ディスプレイ１０１４上の特定の一部分の領域に表示する。また、第一情報表示部１０１２は、第一ディスプレイ１０１４上の特定の一部分の領域以外の領域に、「その他の情報」を表示しても良い。なお、「その他の情報」は、第一情報受信部９０１４によって受信された情報でもよく、第一端末９０１に内蔵の記録媒体に予め保持されている情報でも良い。第一情報表示部９０１２は、通常、ＭＰＵやメモリ等から実現され得る。「表示情報識別子を取得する」または「情報を特定の一部分の領域に表示する」ための処理手順は、通常、ソフトウェアで実現され、当該ソフトウェアはＲＯＭ等の記録媒体に記録されている。但し、ハードウェア（専用回路）で実現しても良い。
【００４７】
表示情報識別子送信部９０１３は、第一情報表示部９０１２が取得した表示情報識別子をサーバ装置９０２に送信する。表示情報識別子送信部９０１３は、例えば、ネットワークカードとそのドライバーソフト等を有して実現されうる。
【００４８】
第一情報受信部９０１４は、サーバ装置９０２から表示情報識別子で識別される情報を受信する。第一情報受信部９０１４は、例えば、ネットワークカードとそのドライバーソフト等を有して実現されうる。
【００４９】
表示情報識別子受信部９０２１は、第一端末９０１から表示情報識別子を受信する。表示情報識別子受信部９０２１は、例えば、ネットワークカードとそのドライバーソフト等を有して実現されうる。
【００５０】
情報取得部９０２２は、表示情報識別子受信部９０２１における表示情報識別子の受信に基づいて、当該表示情報識別子で識別される情報を第三情報格納部９０２３から取得する。情報取得部９０２２は、通常、ＭＰＵやメモリ等から実現され得る。「取得する」ための処理手順は、通常、ソフトウェアで実現され、当該ソフトウェアはＲＯＭ等の記録媒体に記録されている。但し、ハードウェア（専用回路）で実現しても良い。
【００５１】
第三情報格納部９０２３は、１以上の情報を格納している。なお、「格納」とは、一時的な格納も含む概念である。第三情報格納部９０２３は、不揮発性の記録媒体が好適であるが、揮発性の記録媒体でも良い。
【００５２】
第三情報送信部９０２４は、情報取得部９０２２が取得した情報を、第一端末９０１お
よび１以上の第二端末９０３に送信する。第三情報送信部９０２４は、例えば、ネットワークカードとそのドライバーソフト等を有して実現されうる。
【００５３】
第二情報受信部９０２１は、「情報」をサーバ装置９０２から受信する。第二情報受信部９０２１は、例えば、ネットワークカードとそのドライバーソフト等を有して実現されうる。
【００５４】
以下、本実施の形態における第一端末９０１の動作について図１０のフローチャートを用いて説明する。
【００５５】
（ステップＳ１００１）表示指示受付部９０１１は、第一情報表示部９０１２が表示する情報を特定するための指示である表示指示を受け付けたか否かを判断する。表示指示受付部９０１１が受け付けた場合、ステップＳ１００２に行き、受け付けない場合、ステップＳ１００４に行く。
【００５６】
（ステップＳ１００２）第一情報表示部１０１２は、ステップＳ１００１で表示指示受付部１０１１が受け付けた表示指示に基づいて、表示情報識別子を取得する。
【００５７】
（ステップＳ１００３）表示情報識別子送信部９０１３は、ステップＳ１００２で取得した表示情報識別子をサーバ装置９０２に送信する。ステップＳ１００１に戻る。
【００５８】
（ステップＳ１００４）第一情報受信部９０１４は、表示情報識別子で識別される情報をサーバ装置９０２から受信したか否かを判断する。第一情報受信部９０１４は、受信した場合、ステップＳ１００５に行く。第一情報受信部９０１４は、受信しない場合、ステップＳ１００６に行く。
【００５９】
（ステップＳ１００５）第一情報表示部９０１２は、ステップＳ１００４で受信した情報を第一ディスプレイ１０１４上の特定の一部分の領域に表示する。ステップＳ１００１に戻る。
【００６０】
（ステップＳ１００６）第一端末９０１は、終了する指示の入力を受け付けたか否かを判断する。第一端末９０１は、終了する指示の入力を受け付けた場合、終了する。第一端末９０１は、終了する指示の入力を受け付けない場合、ステップＳ１００１に戻る。なお、終了する指示の入力は、第一端末９０１の電源オフの入力や動作終了の割り込み等の入力等である。
【００６１】
以上、第一端末９０１の動作について説明した。かかる説明において、第一ディスプレイ１０１４上の特定の一部分の領域に表示する「情報」は、サーバ装置９０２から受信するものである。また、第一ディスプレイ１０１４上の特定の一部分の領域以外の領域に表示される「その他の情報」については、第一端末９０１に内蔵の記録媒体から取得するものでもよく、また、サーバ装置９０２から受信するものでも良い。かかる場合、サーバ装置９０２は、「その他の情報」を第一端末９０１に送信するが、第二端末９０３には送信しない。ここでいう「その他の情報」とは、生徒には見せたくない情報を含むものである。かかる態様は、他の実施の形態においても同様である。
【００６２】
次に、本実施の形態におけるサーバ装置９０２の動作について図１１のフローチャートを用いて説明する。
【００６３】
（ステップＳ１１０１）表示情報識別子受信部９０２１は、表示情報識別子を第一端末９０１から受信したか否かを判断する。表示情報識別子受信部９０２１は、表示情報識別子を受信した場合、ステップＳ１１０２に行き、受信しない場合、ステップＳ１１０４に行く。
【００６４】
（ステップＳ１１０２）情報取得部９０２２は、ステップＳ１１０１で受信した表示情報識別子で識別される情報を第三情報格納部９０２３から取得する。
【００６５】
（ステップＳ１１０３）第三情報送信部９０２３は、ステップＳ１１０２で取得した情
報を第一端末９０１および第二端末９０２に送信する。ステップＳ１１０１に戻る。
【００６６】
（ステップＳ１１０４）サーバ装置９０２は、終了する指示の入力を受け付けたか否かを判断する。サーバ装置９０２は、終了する指示の入力を受け付けた場合、終了する。サーバ装置９０２は、終了する指示の入力を受け付けない場合、ステップＳ１１０１に戻る。なお、終了する指示の入力は、サーバ装置９０２の電源オフの入力や動作終了の割り込み等の入力等である。
【００６７】
以上、第一端末９０１とサーバ装置９０２の動作について説明した。第二端末９０３の動作については、実施の形態１で説明した動作と同様であるため、説明は省略する。
【００６８】
以下、本実施の形態における情報処理システムの具体的な動作について説明する。図１２は、情報処理システムの概念の例を示す図である。図１２において、情報処理システムは、先生用の第一端末９０１、サーバ装置９０２、１以上の生徒用の第二端末９０３を有して構成されている。また、先生用の第一端末９０１、サーバ装置９０２、各々の生徒用の第二端末９０３は、ネットワークを介して接続されている。なお「ネットワーク接続」の態様は、有線、無線を問わない。また、「ネットワーク接続」の態様は、他の実施の形態においても同様である。
【００６９】
今、第一端末９０１において、本発明のアプリケーションソフトを起動すると、実施の形態１と同様に「オペレーション画面」ウインドウが表示される（図５参照）。この「オペレーション画面」は、情報が表示される領域「Ａ領域」、「Ｂ領域」、「Ｃ領域」と、操作ボタンを有している。図５において、「Ｓ」ボタンをクリックすると、「Ｃ領域」に、表示情報識別子が表示される。図１３は、「オペレーション画面」ウインドウの表示例を示す図である。図１３において、「Ｃ領域」には、表示情報識別子が表示されている。この表示情報識別子「理科１００１」を指定すると、表示情報識別子の情報がサーバ装置９０２に送信される。「表示情報識別子を指定する」ことは、表示指示受付部９０１１が表示指示を受け付けることを意味する。なお、「表示情報識別子を指定する」方法は、表示された表示情報識別子を影付き等の強調表示にしてクリックする方法でも良く、その他の方法でも良い。また、「Ｓ」ボタンをクリックすると、「Ｃ領域」に、表示情報識別子が表示されるが、「Ｃ領域」に、表示情報識別子が表示されてもされなくても良い。「Ｃ領域」に、表示情報識別子が表示されない場合、例えば、「Ｓ」ボタンをクリックすると、「Ｓ」ボタンをクリックしたことに基づいて、第一情報表示部９０１２が、表示情報識別子を取得するものでも良い。例えば、第一端末９０１に内蔵の記録媒体が保持する表示情報識別子データテーブルから「Ｓ」ボタンに対応する表示情報識別子を取得するものでも良い。
【００７０】
次に、サーバ装置９０２は、表示情報識別子「理科１００１」を受信する。情報取得部９０２２は、受信した表示情報識別子「理科１００１」をキーに、第三情報格納部９０２３を検索する。図１４は、第三情報格納部９０２３に格納されている「情報」のデータを示す図である。図１４において、「情報」は、表示情報識別子、情報のデータを有する。
【００７１】
次に、第三情報送信部９０２４は、情報取得部９０２２が取得した「情報」を第一端末９０１と１以上の第二端末９０３に送信する。第一端末９０１は、サーバ装置９０２が送信した「情報」を受信する。第一情報表示部９０１２は、受信された「情報」を、第一ディスプレイ１０１４上の特定に一部分の領域「Ａ領域」に表示する。図１３において、第一情報表示部９０１２は、「情報」を「Ａ領域」に表示する。第二端末９０３は、サーバ装置９０２が送信した「情報」を受信する。第二情報表示部９０３１は、第二情報受信部１０２１が受信した「情報」を第二ディスプレイ１０２３上の一部の領域に表示する（図８参照）。なお、第二情報表示部９０３１は、第二ディスプレイ１０２３上の全部の領域に「情報」を表示してもよい。
【００７２】
なお、本実施の形態において、サーバ装置９０２は、表示識別子で識別される「情報」
を送信するものだったが、サーバ装置９０２は、表示識別子で識別される情報以外の「その他の情報」を、第一端末９０１からの要請に応じて送信するものでも良い。かかる場合、サーバ装置９０２は、その内蔵の記録媒体に「その他の情報」を格納している。
【００７３】
以上、本実施の形態によれば、サーバ・クライアント方式の態様で先生用端末のディスプレイに表示された一部の必要な情報のみを生徒用端末のディスプレイに表示できる。
【００７４】
なお、本実施の形態における動作をソフトウェアで実現した場合のプログラムは、以下のようになる。コンピュータに、表示する情報を特定するための指示である表示指示を受け付ける表示指示受付ステップと、表示指示に基づいて表示する情報を特定するための情報である表示情報識別子をサーバ装置に送信する表示情報識別子送信ステップと、表示情報識別子の送信に基づいて、サーバ装置から表示情報識別子で識別される情報を受信する第一情報受信ステップと、第一情報受信ステップが受信した情報をディスプレイ上の特定の一部分の領域に表示する第一情報表示ステップを実行させるためのプログラムである。
【００７５】
また、コンピュータに、表示情報識別子を受信する表示情報識別子受信ステップと、表示情報識別子受信ステップにおける表示情報識別子の受信に基づいて、表示情報識別子で識別される情報を第三情報格納部から取得する情報取得ステップと、情報取得ステップが取得した情報を、第一端末および１以上の第二端末に送信する第三情報送信ステップを実行させるためのプログラムである。
【００７６】
また、コンピュータに、情報を受信する第二情報受信ステップと、第二情報受信ステップが受信した情報を、ディスプレイ上の全体または一部の領域に表示する第二情報表示ステップを実行させるためのプログラムである。
【００７７】
（実施の形態３）
図１５は、本実施の形態における情報処理システムの構成を示すブロック図である。情報処理システムは、第一端末１５０１、サーバ装置１５０２、１以上の第二端末１５０３を有して構成されている。第一端末１５０１は、表示指示受付部９０１１、第一情報表示部１５０１２、表示情報識別子送信部９０１３、第一情報受信部９０１４、第一ディスプレイ１０１４、情報選択指示受付部１５０１１、第一入力情報受信部１５０１３、関連情報送信指示受付部１５０１４、関連情報送信指示送信部１５０１５、第一関連情報受信部１５０１６、第一関連情報表示部１５０１７を有する。サーバ装置１５０２は、表示情報識別子受信部９０２１、情報取得部９０２２、第三情報格納部９０２３、第三情報送信部９０２４、入力情報受信部１５０２１、情報構成部１５０２２、入力情報送信部１５０２３、関連情報送信指示受信部１５０２４、関連情報取得部１５０２５、関連情報格納部１５０２６、関連情報送信部１５０２７を有する。第二端末１５０３は、第二情報受信部９０３１、第二情報表示部１０２２、第二ディスプレイ１０２３、第二入力受付部１５０３１、入力情報表示部１５０３２、第二情報送信部１５０３３、関連情報受信部１５０３４、関連情報表示部１５０３５を有する。
【００７８】
情報選択指示受付部１５０１１は、一覧表示された２以上の情報のうちの一の情報の選択の指示を受け付ける。この選択の指示に従い、第一情報表示部１５０１２は、第一ディスプレイ１０１４上の特定の一部分の領域に表示する情報を切り替える。情報選択指示受付部１５０１１は、キーボード、マウス等の入力デバイスおよびそのドライバーソフト等や、メニュー画面の制御ソフトウェア等で実現されうる。
【００７９】
第一情報表示部１５０１２は、表示情報識別子を取得する。「表示情報識別子」は、表示指示受付部９０１１が受け付けた表示指示に基づいて表示する「情報」を特定するための情報である。なお、「表示情報識別子を取得する」ための詳細は、実施の形態２と同様である。また、第一情報表示部１５０１２は、第一情報受信部９０１４が受信した「情報」を第一ディスプレイ１０１４上の特定の一部分の領域に表示する。また、第一情報表示部１５０１２は、第一ディスプレイ１０１４上の特定の一部分の領域とは別の領域に、２
以上の情報を一覧表示する。また、第一情報表示部１５０１２は、情報選択指示受付部１５０１１が受け付けた選択指示に従って、第一ディスプレイ上の特定の一部分の領域に表示する情報を切り替える。この「情報を切り替える」動作の詳細は、後述する。また、第一情報表示部１５０１２は、第一入力情報受信部１５０１３が受信した、２以上の第二端末が送信した２以上の入力情報または当該２以上の入力情報に基づく２以上の情報を特定の一部分の領域とは別の領域に表示する。この「入力情報」とは、第二情報表示部１０２２が表示している情報に対する入力情報であり、例えば、生徒が入力したメモ、意見、授業のポイント、テストの回答、授業の理解度を把握する指標となる情報等である。また「入力情報に基づく情報」とは、例えば、多肢選択式の小テスト（表示された情報）の場合に回答された情報（入力情報）に基づいて、採点した結果の情報（例えば、正誤、点数等）等である。第一情報表示部１５０１２は、通常、ＭＰＵやメモリ等から実現され得る。「表示情報識別子を取得する」、「情報を特定の一部分の領域に表示する」、「２以上の情報を一覧表示する」「情報を切り替える」、「入力情報等を表示する」ための処理手順は、通常、ソフトウェアで実現され、当該ソフトウェアはＲＯＭ等の記録媒体に記録されている。但し、ハードウェア（専用回路）で実現しても良い。
【００８０】
第一入力情報受信部１５０１３は、第二端末１５０３が送信した２以上の入力情報または当該２以上の入力情報に基づく２以上の情報をサーバ装置１５０２から受信する。入力情報受信部１５０１４は、例えば、ネットワークカードとそのドライバーソフト等を有して実現されうる。なお、第一入力情報受信部１５０１３は、第一情報受信部９０１４と実体として同一でも良い。
【００８１】
関連情報送信指示受付部１５０１４は、第一情報表示部１５０１２が第一ディスプレイ１０１４上の特定の一部分の領域に情報を表示した後に、当該情報に関連する情報である関連情報を第二端末１５０３へ送信する指示（関連情報送信指示）を受け付ける。「関連情報」とは、例えば、情報に関連するテストの問題を示す情報、補足資料に関する情報等である。関連情報送信指示受付部１５０１４は、キーボード、マウス等の入力デバイスおよびそのドライバーソフト等や、メニュー画面の制御ソフトウェア等で実現されうる。
【００８２】
関連情報送信指示送信部１５０１５は、関連情報送信指示受付部１５０１４が受け付けた関連情報送信指示をサーバ装置１５０２に送信する。なお、関連情報送信指示送信部１５０１５は、送信指示をサーバ装置１５０２に送信してもしなくても良い。関連情報送信指示送信部１５０１５が、関連情報送信指示をサーバ装置１５０２に送信しない場合、第一端末１５０１が、第二端末１５０３に直接、関連情報を送信しても良い。かかる場合、第一端末１５０１は、その内蔵の記録媒体に関連情報を保持しているものでも良く、サーバ装置１５０２から「情報」を受信する際に、当該「情報」の「関連情報」も受信し、当該記録媒体に保持するものでも良い。関連情報送信指示送信部１５０１５は、例えば、ネットワークカードとそのドライバーソフト等を有して実現されうる。
【００８３】
第一関連情報受信部１５０１６は、関連情報をサーバ装置１５０２から受信する。第一関連情報受信部１５０１６は、例えば、ネットワークカードとそのドライバーソフト等を有して実現されうる。なお、第一関連情報受信部１５０１６は、第一情報受信部９０１４と実体として同一であっても良い。また、第一関連情報受信部１５０１６は、あってもなくても良い。
【００８４】
第一関連情報表示部１５０１７は、第一関連情報受信部１５０１６が受信した関連情報を表示する。関連情報表示部１５０１７は、通常、ＭＰＵやメモリ等から実現され得る。「関連情報を表示する」ための処理手順は、通常、ソフトウェアで実現され、当該ソフトウェアはＲＯＭ等の記録媒体に記録されている。但し、ハードウェア（専用回路）で実現しても良い。なお、第一関連情報表示部１５０１７は、あってもなくても良い。
【００８５】
入力情報受信部１５０２１は、入力情報を１以上の第二端末１５０３から受信する。入
力情報受信部１５０２１は、例えば、ネットワークカードとそのドライバーソフト等を有して実現されうる。
【００８６】
情報構成部１５０２２は、入力情報受信部１５０２１が受信した入力情報に基づいて、「入力情報に基づく情報」を構成する。なお、「入力情報に基づく情報」とは、上記で説明した情報である。「構成」する具体的方法は、後述する。情報構成部１５０２２は、通常、ＭＰＵやメモリ等から実現され得る。「構成する」ための処理手順は、通常、ソフトウェアで実現され、当該ソフトウェアはＲＯＭ等の記録媒体に記録されている。但し、ハードウェア（専用回路）で実現しても良い。
【００８７】
入力情報送信部１５０２３は、２以上の「入力情報」または「入力情報に基づく２以上の情報」を第一端末１５０１に送信する。入力情報送信部１５０２３は、例えば、ネットワークカードとそのドライバーソフト等を有して実現されうる。
【００８８】
関連情報送信指示受信部１５０２４は、関連情報を第二端末１５０３へ送信する指示（以下、「関連情報送信指示」とする）を第一端末１５０１から受信する。関連情報送信指示受信部１５０２４は、例えば、ネットワークカードとそのドライバーソフト等を有して実現されうる。なお、関連情報送信指示受信部１５０２４は、入力情報受信部１５０２１または／および表示情報識別子受信部９０２１と実体として同一であっても良い。
【００８９】
関連情報取得部１５０２５は、関連情報送信指示受信部１５０２４が受信した関連情報送信指示に基づいて、関連情報格納部１５０２６から関連情報を取得する。関連情報取得部１５０２５は、通常、ＭＰＵやメモリ等から実現され得る。「取得する」ための処理手順は、通常、ソフトウェアで実現され、当該ソフトウェアはＲＯＭ等の記録媒体に記録されている。但し、ハードウェア（専用回路）で実現しても良い。
【００９０】
関連情報格納部１５０２６は、関連情報を格納している。関連情報格納部１５０２６は、不揮発性の記録媒体が好適であるが、揮発性の記録媒体でも良い。なお、関連情報格納部１５０２６は、第三情報格納部９０２３と実体として同一であっても良い。
【００９１】
関連情報送信部１５０２７は、関連情報取得部１５０２５が取得した関連情報を第二端末１５０３に送信する。また、関連情報送信部１５０２７は、関連情報を第一端末１５０１に送信するものでも良い。関連情報送信部１５０２７は、例えば、ネットワークカードとそのドライバーソフト等を有して実現されうる。なお、関連情報送信部１５０２７は、第三情報送信部９０２４または／および入力情報送信部１５０２３と実体として同一であっても良い。
【００９２】
第二入力受付部１５０３１は、第二情報表示部１０２２が表示している情報に対する入力情報を受け付ける。なお「入力情報」とは、上記で説明した入力情報である。第二入力受付部１５０３１は、キーボード、マウス等の入力デバイスおよびそのドライバーソフト等や、メニュー画面の制御ソフトウェア等で実現されうる。
【００９３】
入力情報表示部１５０３２は、第二入力受付部１５０３１が受け付けた入力情報を第二ディスプレイ１０２３に表示する。入力情報表示部１５０３２は、通常、ＭＰＵやメモリ等から実現され得る。「表示する」ための処理手順は、通常、ソフトウェアで実現され、当該ソフトウェアはＲＯＭ等の記録媒体に記録されている。但し、ハードウェア（専用回路）で実現しても良い。
【００９４】
第二情報送信部１５０３３は、第二入力受付部１５０３１が受け付けた入力情報をサーバ装置１５０２へ送信する。また、第二情報送信部１５０３３は、入力情報に対応付けて、入力情報識別子も送信しても良い。「入力情報識別子」とは、入力情報の種類を識別するための情報である。例えば、「入力情報」がメモ書きや意見の場合、「入力情報識別子」は「ＭＥＭＯ」である。また、「入力情報」が小テストに対する回答の場合、「入力情報識別子」は「ＴＥＳＴ」である。また、第二情報送信部１５０３３は、「入力情報識別
子」を送信してもしなくても良い。「入力情報識別子」を送信しない場合、第二情報送信部１５０３３は、第二ディスプレイに１０２３に表示されている「情報」、またはその「表示情報識別子」、または関連情報、またはその「関連情報識別子」を、「入力情報」に対応付けて送信するものでも良い。また、第二情報送信部１５０３３は、サーバ装置１５０２に入力情報を送信してもしなくても良い。第二情報送信部１５０３３は、サーバ装置１５０２に入力情報を送信しない場合、第二情報送信部１５０３３は、直接、第一端末１５０１に送信しても良い。かかる場合、第一端末１５０１は、受信した入力情報を蓄積し、第一ディスプレイ１０１４上に表示する。第二情報送信部１５０３３は、例えば、ネットワークカードとそのドライバーソフト等を有して実現されうる。
【００９５】
関連情報受信部１５０３４は、サーバ装置１５０２から関連情報を受信する。また、関連情報受信部１５０３４は、サーバ装置１５０２から関連情報を受信してもしなくても良い。かかる場合、関連情報受信部１５０３４は、第一端末１５０１から関連情報を受信しても良い。関連情報受信部１５０３４は、例えば、ネットワークカードとそのドライバーソフト等を有して実現されうる。なお、関連情報受信部１５０３４は、第二情報受信部９０３１と実体として同一であっても良い。
【００９６】
関連情報表示部１５０３５は、関連情報受信部１５０３４が受信した関連情報を表示する。また、関連情報表示部１５０３５は、関連情報を表示する際に、第二ディスプレイ１０２３に表示されているその他の情報を非表示の状態にするものでも良い。関連情報表示部１５０３５は、通常、ＭＰＵやメモリ等から実現され得る。「関連情報を表示する」、「情報を非表示の状態にする」ための処理手順は、通常、ソフトウェアで実現され、当該ソフトウェアはＲＯＭ等の記録媒体に記録されている。但し、ハードウェア（専用回路）で実現しても良い。
【００９７】
以下、本実施の形態における第一端末１５０１の動作について図１６のフローチャートを用いて説明する。ステップＳ１６０１からステップＳ１６０３の動作は、実施の形態２で説明した動作と同様であるので省略する。
【００９８】
（ステップＳ１６０４）第一情報受信部９０１４は、表示情報識別子で識別される情報をサーバ装置１５０２から受信したか否かを判断する。第一情報受信部９０１４は、受信した場合、ステップＳ１６０５に行き、受信しない場合、ステップＳ１６０６に行く。なお、受信する「情報」には、情報選択指示受付部１５０１１が受け付けた指示に基づく「情報」も含まれる。
【００９９】
（ステップＳ１６０５）第一情報表示部１５０１２は、ステップＳ１６０４で受信した少なくとも一の情報を第一ディスプレイ１０１４上の特定の一部分の領域に表示し、かつ特定の一部分の領域とは別の領域に、２以上の情報を一覧表示する。ステップＳ１６０１に戻る。
【０１００】
（ステップＳ１６０６）情報選択指示受付部１５０１１は、ステップＳ１６０５で一覧表示された２以上の情報のうちの一の情報の選択の指示を受け付けたか否かを判断する。情報選択指示受付部１５０１１は、当該選択の指示を受け付けた場合、ステップＳ１６０７に行き、受け付けない場合、ステップＳ１６０９に行く。
【０１０１】
（ステップＳ１６０７）第一情報表示部１５０１２は、ステップＳ１６０６で情報選択指示受付部１５０１１が受け付けた選択の指示に基づいて、表示情報識別子を取得する。
【０１０２】
（ステップＳ１６０８）表示情報識別子送信部９０１３は、ステップＳ１６０７で取得した表示情報識別子をサーバ装置１５０２に送信する。ステップＳ１６０１に戻る。
【０１０３】
（ステップＳ１６０９）第一入力情報受信部１５０１３は、入力情報または入力情報に基づく情報をサーバ装置１５０２から受信したか否かを判断する。第一入力情報受信部１５０１３は、入力情報または入力情報に基づく情報をサーバ装置１５０２から受信した場合、ステップＳ１６１０に行き、受信しない場合、ステップＳ１６１１に行く。
【０１０４】
（ステップＳ１６１０）第一情報表示部１５０１２は、ステップＳ１６０９で受信した入力情報または入力情報に基づく情報を表示する。ステップＳ１６０１に戻る。
【０１０５】
（ステップＳ１６１１）関連情報送信指示受付部１５０１４は、関連情報送信指示を受け付けたか否かを判断する。関連情報送信指示受付部１５０１４は、関連情報送信指示を受け付けた場合、ステップＳ１６１２に行き、受け付けない場合、ステップＳ１６１３に行く。
【０１０６】
（ステップＳ１６１２）関連情報送信指示送信部１５０１５は、ステップＳ１６１１で受け付けた関連情報送信指示をサーバ装置１５０２に送信する。ステップＳ１６０１に戻る。
【０１０７】
（ステップＳ１６１３）第一関連情報受信部１５０１６は、関連情報をサーバ装置１５０２から受信したか否かを判断する。関連情報受信部１５０１６は、関連情報をサーバ装置１５０２から受信した場合、ステップＳ１６１４に行き、受信しない場合、ステップＳ１６１５に行く。
【０１０８】
（ステップＳ１６１４）第一関連情報表示部１５０１７は、ステップＳ１６１４で受信した関連情報を表示する。ステップＳ１６０１に戻る。
【０１０９】
（ステップＳ１６１５）第一端末１５０１は、終了する指示の入力を受け付けたか否かを判断する。第一端末１５０１は、終了する指示の入力を受け付けた場合、終了する。第一端末１５０１は、終了する指示の入力を受け付けない場合、ステップＳ１６０１に戻る。なお、終了する指示の入力は、第一端末１６０１の電源オフの入力や動作終了の割り込み等の入力等である。
【０１１０】
次に、本実施の形態におけるサーバ装置１５０２の動作について図１７のフローチャートを用いて説明する。ステップＳ１７０１からステップＳ１７０３の動作は、実施の形態２と同様であるので省略する。なお、表示情報識別子受信部９０２１が受信する表示情報識別子は、情報選択指示受付部１５０１１が受け付けた指示に基づいて取得された表示情報識別子の場合もある。
【０１１１】
（ステップＳ１７０４）入力情報受信部１５０２１は、第二端末１５０３から入力情報を受信したか否かを判断する。入力情報受信部１５０２１は、第二端末１５０３から入力情報を受信した場合、ステップＳ１７０５に行き、受信しない場合、ステップＳ１７１０に行く。なお、入力情報受信部１５０２１は、入力情報を受信する際、入力情報識別子も受信するものでも良い。
【０１１２】
（ステップＳ１７０５）情報構成部１５０２２は、ステップＳ１７０４で受信した入力情報をサーバ装置１５０２に内蔵の記録媒体に蓄積する。なお、「入力情報を蓄積する」際には、各々の第二端末１５０３に対応づけて蓄積するものでも良い。例えば、第二端末１５０３のＩＰアドレス等の識別情報と対応づけて入力情報を蓄積する。また、「入力情報を蓄積する」際には、「入力情報識別子」も対応づけて蓄積するものでも良い。
【０１１３】
（ステップＳ１７０６）情報構成部１５０２２は、「入力情報識別子」が「ＴＥＳＴ」であるか否か判断する。情報構成部１５０２２は、「入力情報識別子」が「ＴＥＳＴ」である場合、ステップＳ１７０７に行き、「ＴＥＳＴ」でない場合、ステップＳ１７０９に行く。なお、「判断」する時期は、各々の第二端末１５０３から入力情報を受信した後に判断するものでも良く、全ての第二端末１５０３から入力情報を受信した後に判断するものでも良く、その他の時期でも良い。
【０１１４】
（ステップＳ１７０７）情報構成部１５０２２は、ステップＳ１７０６で「入力情報識別子」が「ＴＥＳＴ」であると判断された入力情報に基づいて、情報（以下、「入力情報に基づく情報」という）を構成する。
【０１１５】
（ステップＳ１７０８）入力情報送信部１５０２３は、ステップＳ１７０７で構成された「入力情報に基づく情報」を第一端末１５０１に送信する。なお、入力情報送信部１５０２３は、入力情報も第一端末１５０１に送信するものでも良い。ステップＳ１７０１に戻る。
【０１１６】
（ステップＳ１７０９）入力情報送信部１５０２３は、ステップＳ１７０６で「入力情報識別子」が「ＴＥＳＴ」でないと判断された入力情報を第一端末１５０１に送信する。ステップＳ１７０１に戻る。
【０１１７】
（ステップＳ１７１０）関連情報送信指示受信部１５０２４は、第一端末１５０１から関連情報送信指示を受信したか否かを判断する。関連情報送信指示受信部１５０２４は、関連情報送信指示を受信した場合、ステップＳ１７１１に行き、受信しない場合、ステップＳ１７１３に行く。
【０１１８】
（ステップＳ１７１１）関連情報取得部１５０２５は、ステップＳ１７１０で受信した関連情報送信指示に基づいて、関連情報を関連情報格納部１５０２６から取得する。
【０１１９】
（ステップＳ１７１２）関連情報送信部１５０２７は、ステップＳ１７１１で取得された関連情報を第二端末１５０３に送信する。また、関連情報送信部１５０２７は、関連情報を第一端末１５０１に送信しても良い。ステップＳ１７０１に戻る。
【０１２０】
（ステップＳ１７１３）サーバ装置１５０２は、終了する指示の入力を受け付けたか否かを判断する。サーバ装置１５０２は、終了する指示の入力を受け付けた場合、終了する。サーバ装置１５０２は、終了する指示の入力を受け付けない場合、ステップＳ１７０１に戻る。なお、終了する指示の入力は、サーバ装置１５０２の電源オフの入力や動作終了の割り込み等の入力等である。
【０１２１】
次に、本実施の形態における第二端末１５０３の動作について図１８のフローチャートを用いて説明する。ステップＳ１８０１とステップＳ１８０２の動作は、実施の形態１の同様の動作であるので省略する。
【０１２２】
（ステップＳ１８０３）第二入力受付部１５０３１は、第二情報表示部１０２２が表示している情報に対する入力情報を受け付けたか否かを判断する。第二入力受付部１５０３１は、入力情報を受け付けた場合、ステップＳ１８０４に行き、受け付けない場合、ステップＳ１８０６に行く。
【０１２３】
（ステップＳ１８０４）入力情報表示部１５０３２は、ステップＳ１８０３で受け付けた入力情報を第二ディスプレイ１０２３上に表示する。
【０１２４】
（ステップＳ１８０５）第二情報送信部１５０３３は、サーバ装置１５０２に入力情報を送信する。また、第二情報送信部１５０３３は、入力情報を送信する際に、「入力情報識別子」も対応づけて送信するものでも良い。
【０１２５】
（ステップＳ１８０６）関連情報受信部１５０３４は、サーバ装置１５０２から関連情報を受信したか否かを判断する。関連情報受信部１５０３４が関連情報を受信した場合、ステップＳ１８０７に行き、受信しない場合、ステップＳ１８０９に行く。
【０１２６】
（ステップＳ１８０７）関連情報表示部１５０３５は、第二ディスプレイ１０２３に表示されている情報を非表示の状態にする。
【０１２７】
（ステップＳ１８０８）関連情報表示部１５０３５は、ステップＳ１８０６で受信した関連情報を第二ディスプレイ１０２３に表示する。
【０１２８】
（ステップＳ１８０９）第二端末１５０３は、終了する指示の入力を受け付けたか否かを判断する。第二端末１５０３は、終了する指示の入力を受け付けた場合、終了する。第二端末１５０３は、終了する指示の入力を受け付けない場合、ステップＳ１８０１に戻る。なお、終了する指示の入力は、第二端末１５０３の電源オフの入力や動作終了の割り込み等の入力等である。
【０１２９】
以下、本実施の形態における情報処理システムの具体的な動作について説明する。情報処理システムは、図１２に示すように、先生用の第一端末１５０１、サーバ装置１５０２、１以上の生徒用の第二端末１５０３を有して構成されている。また、先生用の第一端末１５０１、サーバ装置１５０２、各々の生徒用の第二端末１５０３は、ネットワークを介して接続されている。
【０１３０】
以下に、特定の一部分の領域（以下、「Ａ領域」とする）に表示されている情報を切り替える場合について説明する。図１９と図２１は、第一端末１５０１の「オペレーション画面」ウインドウの表示例を示す図である。図１９において、「Ａ領域」には、「情報」が表示されている。また、「Ｂ領域」には、２以上の「情報」が一覧表示されている。「一覧表示」の態様は、図１９に示すように、「情報」を縮小して表示する態様でも良く、その他の方法で表示する態様のものでも良い。なお、「一覧表示される情報」は、予め第一端末１５０１の記録媒体に保持されているものでも良く、サーバ装置１５０２から受信され、記録媒体に保持されているものでも良い。
【０１３１】
図２１において、「Ｂ領域」に一覧表示されている２以上の「情報」の内、一の「情報」を指定する。「情報を指定する」ことは、情報選択指示受付部１５０１１が選択の指示を受け付けることを意味する。なお、「情報を指定する」方法は、一覧表示された「情報」を影付き等の強調表示にしてクリックする方法でも良く、その他の方法でも良い。図２０は、表示情報識別子と一覧表示の情報のデータの例を示す図である。図２０において、例えば、情報選択指示受付部１５０１１が選択の指示を受け付けた結果、表示情報識別子「理科１００２」が取得さる。
【０１３２】
表示情報送信部９０１４は、表示情報識別子「理科１００２」をサーバ装置１５０２に送信する。情報取得部９０２２は、表示情報識別子受信部９０２１が受信した表示情報識別子「理科１００２」をキーに、「理科１００２」で識別される「情報」を、第三情報格納部９０２３から取得する。第三情報送信部９０２４は、取得された「情報」を第一端末１５０１および第二端末１５０３に送信する。
【０１３３】
第一情報受信部９０１４は、「情報」を受信する。第一情報表示部１５０１２は、既に「Ａ領域」に表示されている「情報」の上からオーバーライトすることによって、受信された「情報」を「Ａ領域」に表示する。なお、第一情報表示部１５０１２は、オーバーライトせず、その他の方法で「情報」を切り替えるものでも良い。図２１において、「Ａ領域」には、表示情報識別子「理科１００２」で識別される「情報」が表示されている。
【０１３４】
一方、第二情報受信部９０３１は、サーバ装置１５０２から「情報」を受信する。第二情報表示部１０２２は、受信された「情報」を第二ディスプレイ上の全部または一部の領域に表示する。かかる表示する際に、第二情報表示部１０２２は、既に表示されている「情報」の上からオーバーライトするものでも良く、その他の方法で「情報」を切り替えるものでも良い。図２２は、「生徒Ａの画面」ウインドウの表示例を示す図である。図２２において、ウインドウ上に表示されている「情報」は、図８においてウインドウ上表示された「情報」から切り替わっていることを示す。
【０１３５】
次に、「入力情報」に関する一連の動作について具体的に説明する。まず、第二入力受付部１５０３１は、第二情報表示部１０２２が表示している情報に対する入力情報を受け付ける。そして、入力情報表示部１５０３２は、「入力情報」を第二ディスプレイ１０２３上に表示する。図２３は、受け付けられた入力情報の例を示す図である。図２３において、入力情報は、「大地の変化は重要・・・」である。次に、第二情報送信部１５０３３は、受け付けられた「入力情報」を、サーバ装置１５０２に送信する。なお、第二情報送信部１５０３３は、「入力情報」に対応付けて、入力情報識別子「ＭＥＭＯ」を送信する
。
【０１３６】
入力情報受信部１５０２１は、第二端末１５０３から入力情報と入力情報識別子「ＭＥＭＯ」を受信する。情報構成部１５０２２は、入力情報と入力情報識別子「ＭＥＭＯ」等を蓄積する。図２４は、蓄積された入力情報等のデータ例を示す図である。データは、生徒識別子、ＩＰアドレス、入力情報、入力情報識別子を有する。例えば、生徒識別子「Ａ」で識別される第二端末１５０３のＩＰアドレスは「１９２．１６８．１．１１」、入力情報は、「大地の変化は、重要・・・」、入力情報識別子は、「ＭＥＭＯ」である。情報構成部１５０２２は、入力情報識別子が「ＭＥＭＯ」であることから、「入力情報に基づく情報」を構成しない。次に、入力情報送信部１５０２２は、例えば、生徒識別子「Ａ」と入力情報「大地の変化は、重要・・・」を第一端末１５０１に送信する。
【０１３７】
なお、本実施の形態において、情報構成部１５０２２は、入力情報受信部１５０２１が受信した後に、入力情報識別子が「ＴＥＳＴ」であるか否かを判断するものであったが、情報構成部１５０２２は、全ての第二端末１５０３から入力情報を受信した後に、「判断する」ことを開始するものでも良い。
【０１３８】
また、本実施の形態において、情報構成部１５０２２は、入力情報識別子が「ＴＥＳＴ」であるか否かを判断するものだったが、情報構成部１５０２２は、入力情報識別子が「ＭＥＭＯ」であるか否かを判断するものでも良く、その他のものでも良い。例えば、情報構成部１５０２２が、入力情報識別子が「ＭＥＭＯ」であると判断すれば、入力情報送信部１５０２３が入力情報を第一端末１５０１に送信するものでも良い。情報構成部１５０２２が、入力情報識別子が「ＭＥＭＯ」でないと判断すれば、情報構成部１５０２２が、「入力情報に基づく情報」を構成するものでも良い。また、情報構成部１５０２２は、「入力情報」に対応付けられて受信された関連情報識別子に基づいて、「入力情報に基づく情報」を構成するものでも良い。
【０１３９】
一方、第一入力情報受信部１５０１３は、サーバ装置１５０２から入力情報を受信する。次に、第一情報表示部１５０１２は、生徒識別子で識別されるマークの領域に、受信された入力情報を表示する。図２５は、「オペレーション画面」ウインドウ上に表示された入力情報の表示例を示す図である。図２５において、例えば、「Ｃ領域」内のマーク「Ａ」の領域には、入力情報「大地の変化は重要・・・」が表示される。
【０１４０】
次に、関連情報およびそれに対する入力情報について、以下に説明する。まず、関連情報を第二端末１５０３に送信する動作について説明する。図２６は、「オペレーション画面」ウインドウの表示例を示す図である。図２６において、「Ａ領域」には、「情報」が表示されている。かかる状態において、操作ボタン「Ｔ」をクリックする。なお、「Ｔ」ボタンがクリックされたことは、関連情報送信指示受付部１５０１４が関連情報を第二端末１５０３へ送信する指示を受け付けたことを意味する。関連情報送信指示送信部１５０１５は、「Ａ領域」に表示された「情報」に関連する関連情報を第二端末１５０３へ送信する指示（以下、「関連情報送信指示」という）をサーバ装置１５０２に送信する。また、関連情報送信指示送信部１５０１５は、関連情報送信指示に対応付けて「Ａ領域」に表示された「情報」も送信する。
【０１４１】
関連情報送信指示受信部１５０２４は、関連情報送信指示および「情報」を受信する。関連情報取得部１５０２５は、関連情報送信指示に従い、「情報」をキーに、表示情報識別子「理科１００１」を第三情報格納部１５０２６に格納されているデータから検索する。次に、関連情報取得部１５０２５は、表示情報識別子「理科１００１」をキーに、関連情報を関連情報格納部１５０２６に格納されているデータから検索する。図２７は、「情報」とその表示情報識別子のデータの例を示す図である。図２８は、表示情報識別子とそれに対応する関連情報のデータの例を示す図である。なお、関連情報送信指示送信部１５０１５が関連情報送信指示に対応付けて「Ａ領域」に表示された「情報」の表示情報識別
子「理科１００１」を送信しても良い。かかる場合、関連情報取得部１５０２５は、表示情報識別子「理科１００１」をキーに、関連情報を関連情報格納部１５０２６に格納されているデータから検索する。
【０１４２】
次に、関連情報送信部１５０２７は、取得された関連情報を第二端末１５０３に送信する。また、関連情報送信部１５０２７は、取得された関連情報を第一端末１５０１に送信しても良い。また、関連情報送信部１５０２７は、関連情報に対応付けて、関連情報識別子「理科１００１−Ｔ」を送信しても良い。なお、「関連情報識別子」は、関連情報を識別する情報である。
【０１４３】
関連情報受信部１５０３４は、関連情報をサーバ装置１５０２から受信する。関連情報表示部１５０３５は、受信された関連情報を第二ディスプレイ上の全部または一部分の領域に表示する。かかる表示する際において、関連情報表示部１５０３５は、既に表示されている「情報」（図８参照）を非表示の状態にする。「非表示の状態にする」とは、関連情報を表示する際に、表示されている「情報」の上からオーバーライトすることで非表示の状態にすること等である。なお、メモリ上に、「情報」のデータは保持されていてもいなくても良い。また、「非表示の状態にする」とは、「情報」が表示されている「生徒Ａ画面」ウインドウに完全にオーバーラップするように、関連情報を表示する「関連情報」ウインドウを第二ディスプレイ１０２３上に表示させるものでも良く、その他の態様で非表示にするものでも良い。
【０１４４】
図２９は、「生徒Ａ画面」ウインドウ上の関連情報の表示例を示す図である。図２９において、「生徒Ａ画面」ウインドウ上には、「情報」は非表示の状態であり、かつ、関連情報のみが表示されている。なお、関連情報は、「情報」に関連するテストの問題（多肢選択方式のテスト問題）である。
【０１４５】
一方、第一端末１５０１において、第一関連情報受信部１５０１６は、関連情報をサーバ装置１０２から受信する。第一関連情報表示部１５０１７は、受信された関連情報を「Ａ領域」に表示する。図３２は、「オペレーション画面」上の関連情報の表示例を示す図である。
【０１４６】
次に、関連情報に対する入力情報について、以下に説明する。図２９において、問題「Ｑ１」、「Ｑ２」に対するチェックボックスがチェックされている。かかる「チェック」は、第二入力受付部１５０３１が入力を受け付けたことを意味する。次に、第二情報送信部１５０３３は、入力情報（チェックされた情報）をサーバ装置１５０２に送信する。なお、第二情報送信部１５０３３は、「入力情報」に対応付けて、入力情報識別子「ＴＥＳＴ」、関連情報識別子「理科１００１−Ｔ」を送信する。
【０１４７】
入力情報受信部１５０２１は、第二端末１５０３から入力情報と入力情報識別子「ＴＥＳＴ」、関連情報識別子「理科１００１−Ｔ」を受信する。情報構成部１５０２２は、入力情報等を蓄積する。情報構成部１５０２２は、情報の種類が「ＴＥＳＴ」であることから、「入力情報に基づく情報」を構成する。具体的な構成方法は以下である。情報構成部１５０２２は、問題「Ｑ１」、「Ｑ２」の解答の情報を、関連情報格納部１５０２６から読み出す。図３０は、問題「Ｑ１」、「Ｑ２」の解答の情報のデータ例を示す図である。次に、情報構成部１５０２２は、入力情報の問題「Ｑ１」の回答と、問題「Ｑ１」の解答の情報が一致する場合、採点結果「○」とし、一致しない場合、採点結果「×」とする。問題「Ｑ２」も同様に行う。なお、採点結果は「○」または「×」で表したが、「正」または「誤」でもよく、点数等その他の表記でもよい。
【０１４８】
また、情報構成部１５０２２は、受信された全ての入力情報に基づいて、情報を構成す
る。ここで「入力情報に基づく情報」は、「採点結果の情報」である。図３１は、「採点結果の情報」のデータ例を示す図である。図３１において、「採点結果の情報」のデータは、生徒識別子、関連情報識別子、問題、採点結果の情報を有する。次に、入力情報送信部１５０２３は、「採点結果の情報」を、第一端末１５０１に送信する。なお、入力情報送信部１５０２３は、生徒毎の「採点結果の情報」を送信するものでもよく、全ての生徒の「採点結果の情報」を一度にまとめて送信するものでも良い。また、入力情報受信部１５０２１が逐次受信した毎に、「採点結果の情報」を構成し、「採点結果の情報」を送信するものでもよく、全ての第二端末１５０３から入力情報を受信した後に、全ての生徒の「採点結果の情報」を構成し、当該「採点結果の情報」を送信するものでも良い。
【０１４９】
第一入力情報受信部１５０１３は、「採点結果の情報」をサーバ装置１５０２から受信する。第一情報表示部１５０１２は、受信された「採点結果の情報」を「Ｃ領域」に表示する。図３２において、「Ｃ領域」には、生徒毎に採点結果が表示されている。
【０１５０】
なお、本実施の形態において、関連情報送信指示受付部１５０１４の指示の受け付けは、「Ｔ」ボタンのクリックであったが、関連情報送信指示受付部１５０１４の指示の受け付けは、図３３に示すような指示の受け付けでも良い。図３３は、関連情報送信指示の受け付け方法の例を示す図である。図３３において、「Ａ領域」の表示部分で右クリックすると、関連情報を示すウインドウが表示される。かかるウインドウには、小テスト、小テスト解答、補足資料、宿題、宿題解答等を示す識別名が表示されている。いずれかの識別名をクリックすると、関連情報送信指示送信部１５０１５は、当該識別名に対応する関連情報の識別子をサーバ装置１５０２に送信する。図３４は、表示情報識別子、関連情報の識別子、識別名のデータ例を示す図である。例えば、識別名「小テスト」をクリックすると、識別名「小テスト」に対応する関連情報の識別子「理科１００１−Ｔ」が送信される。そして、関連情報取得部１５０２５は、関連情報の識別子「理科１００１−Ｔ」をキーに、関連情報を検索する。
なお、本実施の形態において、第二情報送信部１５０３２は、「入力情報」に対応付けて、「入力情報識別子」、「関連情報識別子」を送信するものだったが、第二情報送信部１５０３２は、「入力情報識別子」を送信しなくても良い。かかる場合、情報構成部１５０２２は、「入力情報」に対応付けられて「関連情報識別子」が受信されたか否かを判断する。そして、「関連情報識別子」が受信されたとの判断結果が得られた場合、情報構成部１５０２２は、当該「関連情報識別子」に基づいて、「入力情報に基づく情報」を構成するものでも良い。
【０１５１】
以上、本実施の形態によれば、先生が生徒の理解度を把握しながら、授業内容の情報を生徒のディスプレイに表示させ、落伍者がでることなく授業を行える。よって、先生は、生徒の反応を確認しながら、次の授業内容の情報を表示させることができる。例えば、生徒が理解できていないような反応であれば、補足説明用の情報を表示させることが可能である。また、生徒が理解できているような反応であれば、次の情報を表示させることができる。また、本情報処理システムによって、生徒が端末に入力した入力情報を先生の端末に表示できる。よって、先生は、その入力情報から、生徒の理解度を把握でき、生徒の理解度に応じた授業を行える。また、先生は、小テストを簡単に行える。多肢選択式の小テストの場合、採点が自動で行われ、この採点結果から、先生は補足説明するか、次の情報を表示させるか否かを簡単に判断でき、生徒の理解度に応じた授業を行える。
【０１５２】
なお、本実施の形態によれば、情報処理システムは、サーバ・クライアントシステムで構成されるものだったが、情報処理システムは、サーバ装置１５０２を有しない実施の形態１のような第一端末と１以上の第二端末が直接に接続された構成でも良い。かかる場合、第一端末は、サーバ装置１５０２が有する上記で説明した機能をさらに具備するものである。
【０１５３】
さらに、本実施の形態における動作をソフトウェアで実現した場合のプログラムは、以
下のようになる。コンピュータに、少なくとも一の情報をディスプレイ上の特定の一部分の領域に表示し、かつ特定の一部分の領域とは別の領域に、２以上の情報を一覧表示するステップと、一覧表示された２以上の情報のうちの一の情報の選択の指示を受け付ける情報選択指示受付ステップと、当該指示に従って、ディスプレイ上の特定の一部分の領域に表示する情報を切り替える第一情報表示ステップを実行させるためのプログラムである。
【０１５４】
また、コンピュータに、当該指示に従って、ディスプレイ上の特定の一部分の領域に表示された情報を、ディスプレイ上の全体または一部の領域に表示する第二情報表示ステップを実行させるためのプログラムである。
【０１５５】
また、コンピュータに、ディスプレイ上の全体または一部の領域に表示されている情報に対する入力情報を受け付ける第二入力受付ステップと、入力情報を送信する第二情報送信ステップを実行させるためのプログラムである。
【０１５６】
また、コンピュータに、２以上の入力情報または当該２以上の入力情報に基づく２以上の情報を別の領域に表示する第一情報表示ステップを実行させるためのプログラムである。
【０１５７】
また、コンピュータに、ディスプレイ上の特定の一部分の領域に情報を表示した後に、当該情報に関連する情報である関連情報を第二端末へ送信する指示を受け付ける関連情報送信指示受付ステップを実行させるためのプログラムである。
【０１５８】
また、コンピュータに、関連情報を受信する関連情報受信ステップと、関連情報受信ステップで受信した関連情報を表示する関連情報表示ステップを実行させるためのプログラムである。
【０１５９】
また、コンピュータに、関連情報を受信する関連情報受信ステップと、関連情報受信ステップで受信した関連情報を表示する関連情報表示ステップと、関連情報を表示する際に、ディスプレイに表示されている他の情報を非表示の状態にする非表示ステップを実行させるためのプログラムである。
【０１６０】
（実施の形態４）
図３５は、本実施の形態における情報処理システムの構成を示すブロック図である。情報処理システムは、第一端末３５０１、サーバ装置３５０２、１以上の第二端末３５０３、ディスプレイ３５０４を有して構成されている。第一端末３５０１は、第一ディスプレイ１０１４、第二端末選択指示受付部３５０１１、第二端末識別情報取得部３５０１２、第二端末選択指示送信部３５０１３を有する。また、第一端末３５０１は、図示しない、表示指示受付部９０１１、第一情報表示部１５０１２、表示情報識別子送信部９０１３、第一情報受信部９０１４、情報選択指示受付部１５０１１、第一入力情報受信部１５０１３、関連情報送信指示受付部１５０１４、関連情報送信指示送信部１５０１５、第一関連情報受信部１５０１６、第一関連情報表示部１５０１７をも有してもよい。サーバ装置３５０２は、第二端末選択指示受信部３５０２１、選択指示指令部３５０２２、選択指示送信部３５０２３、サーバ受信部３５０２４、サーバ送信部３５０２５を有する。また、サーバ装置３５０２は、図示しない、表示情報識別子受信部９０２１、情報取得部９０２２、第三情報格納部９０２３、第三情報送信部９０２４、入力情報受信部１５０２１、情報構成部１５０２２、入力情報送信部１５０２３、関連情報送信指示受信部１５０２４、関連情報取得部１５０２５、関連情報格納部１５０２６、関連情報送信部１５０２７をも有してもよい。第二端末３５０３は、選択指示受信部３５０３１、情報取得部３５０３２、送信部３５０３３、第二ディスプレイ１０２３を有する。また、第二端末３５０３は、図示しない、第二情報受信部９０３１、第二情報表示部１０２２、第二入力受付部１５０３１、入力情報表示部１５０３２、第二情報送信部１５０３３、関連情報受信部１５０３４、関連情報表示部１５０３５をも有してもよい。ディスプレイ３５０４は、受信部３５０４１、表示部３５０４２を有する。
【０１６１】
第二端末選択指示受付部３５０１１は、第二端末を選択する指示である第二端末選択指示を受け付ける。第二端末選択指示受付部３５０１１は、キーボード、マウス等の入力デバイスおよびそのドライバーソフト等や、メニュー画面の制御ソフトウェア等で実現されうる。なお、第二端末選択指示受付部３５０１１は、表示指示受付部９０１１または／および情報選択指示受付部１５０１１と実体として同一であっても良い。
【０１６２】
第二端末識別情報取得部３５０１２は、第二端末選択指示受付部３５０１１が受け付けた第二端末選択指示に基づいて、第二端末識別情報を取得する。「第二端末識別情報」とは、第二端末を識別する情報であり、例えば、第二端末識別子、生徒識別子、第二端末のＩＰアドレス等の情報である。また、「取得する」とは、第一端末３５０１に内蔵のメモリ等の記録媒体からの取得である。第二端末識別情報は、当該記録媒体に予め格納されていてもよく、サーバ装置３５０２から取得され、当該記録媒体に保持されるものでも良い。第二端末識別情報取得部３５０１２は、通常、ＭＰＵやメモリ等から実現され得る。「取得する」ための処理手順は、通常、ソフトウェアで実現され、当該ソフトウェアはＲＯＭ等の記録媒体に記録されている。但し、ハードウェア（専用回路）で実現しても良い。
【０１６３】
第二端末選択指示送信部３５０１３は、第二端末選択指示受付部３５０１１が受け付けた第二端末選択指示を、サーバ装置３５０２へ送信する。なお、第二端末選択指示には、第二端末識別情報取得部３５０１２が取得した第二端末識別情報が含まれる。第二端末選択指示送信部３５０１３は、例えば、ネットワークカードとそのドライバーソフト等を有して実現されうる。なお、第二端末選択指示送信部３５０１３は、表示情報識別子送信部９０１３または／および関連情報送信指示送信部１５０１５と実体として同一であっても良い。
【０１６４】
第二端末選択指示受信部３５０２１は、第二端末選択指示（以下、第二端末選択指示は第二端末識別情報を含む）を第一端末３５０１から受信する。第二端末選択指示受信部３５０２１、例えば、ネットワークカードとそのドライバーソフト等を有して実現されうる。なお、第二端末選択指示受信部３５０２１は、サーバ受信部３５０２４または／および表示情報識別子受信部９０２１または／および入力情報受信部１５０２１または／および関連情報送信指示受信部１５０２４と実体として同一であっても良い。
【０１６５】
選択指示指令部３５０２２は、第二端末選択指示受信部３５０２１が受信した第二端末選択指示に基づいて、「指令」を第二端末識別指示で特定される第二端末３５０３にする。ここで「指令」とは、第二端末識別指示で特定される第二端末３５０３に表示されている情報の全部または一部をサーバ装置３５０２へ送信する指令である。選択指示指令部３５０２２は、通常、ＭＰＵやメモリ等から実現され得る。「取得する」、「指令する」ための処理手順は、通常、ソフトウェアで実現され、当該ソフトウェアはＲＯＭ等の記録媒体に記録されている。但し、ハードウェア（専用回路）で実現しても良い。
【０１６６】
選択指示送信部３５０２３は、第二端末選択指示で特定される第二端末３５０３に「指令」を送信する。選択指示送信部３５０２３は、例えば、ネットワークカードとそのドライバーソフト等を有して実現されうる。なお、選択指示送信部３５０２３は、サーバ送信部３５０２５または／および第三情報送信部９０２４、または／および入力情報送信部１５０２３または／および関連情報送信部１５０２７と実体として同一であっても良い。
【０１６７】
サーバ受信部３５０２４は、「情報」を第二端末３５０３から受信する。サーバ受信部３５０２４は、例えば、ネットワークカードとそのドライバーソフト等を有して実現されうる。
【０１６８】
サーバ送信部３５０２５は、サーバ受信部３５０２４が受信した「情報」をディスプレイ３５０４に送信する。サーバ送信部３５０２５は、例えば、ネットワークカードとその
ドライバーソフト等を有して実現されうる。
【０１６９】
選択指示受信部３５０３１は、「指令」をサーバ装置３５０２から受信する。選択指示受信部３５０３１は、例えば、ネットワークカードとそのドライバーソフト等を有して実現されうる。なお、選択指示受信部３５０３１は、第二情報受信部９０３１または／および関連情報受信部１５０３４と実体として同一であっても良い。
【０１７０】
情報取得部３５０３２は、選択指示受信部３５０３１が受信した「指令」に基づいて、第二ディスプレイ１０２３に表示されている情報の全部または一部を取得する。情報取得部３５０３２は、通常、ＭＰＵやメモリ等から実現され得る。「取得する」ための処理手順は、通常、ソフトウェアで実現され、当該ソフトウェアはＲＯＭ等の記録媒体に記録されている。但し、ハードウェア（専用回路）で実現しても良い。
【０１７１】
送信部３５０３３は、情報取得部３５０３２が取得した「情報（第二ディスプレイ１０２３に表示されている情報の全部または一部の情報）」をサーバ装置３５０２へ送信する。なお、送信部３５０３３は、第二情報送信部１５０３３と実体として同一であっても良い。
【０１７２】
ディスプレイ３５０４は、例えば、大型のプラズマディスプレイ、液晶ディスプレイ等で実現される。受信部３５０４１は、「情報」をサーバ装置３５０２から受信する。受信部３５０４１は、例えば、ネットワークカードとそのドライバーソフト等を有して実現されうる。なお、受信部３５０４１は、ディスプレイ３５０４に内蔵されていてもいなくても良い。ディスプレイ３５０４に内蔵されていない場合、ディスプレイ３５０４が外付けの受信装置と接続され、当該受信装置が「情報」を受信しても良い。
【０１７３】
表示部３５０４２は、受信部３５０４１が受信した「情報」をディスプレイ３５０４の画面上に表示する。表示部３５０４２は、通常、ＭＰＵやメモリ等から実現され得る。「表示する」ための処理手順は、通常、ソフトウェアで実現され、当該ソフトウェアはＲＯＭ等の記録媒体に記録されている。但し、ハードウェア（専用回路）で実現しても良い。なお、ディスプレイ３５０４に外付けの受信装置が「情報」を受信する場合、表示部３５０４２は、当該受信装置が受信した「情報」をディスプレイ３５０４の画面上に表示する。
【０１７４】
以下、本実施の形態における第一端末３５０１の動作について図３６のフローチャートを用いて説明する。
【０１７５】
（ステップＳ３６０１）第二端末選択指示受付部３５０１１は、第二端末を選択する指示である第二端末選択指示を受け付けたか否かを判断する。第二端末選択指示受付部３５０１１が受け付けた場合、ステップＳ３６０２に行き、受け付けない場合、ステップＳ３６０４に行く。
【０１７６】
（ステップＳ３６０２）第二端末選択指示取得部３５０１２は、ステップＳ３６０１で第二端末選択指示受付部３６０１１が受け付けた第二端末選択指示に基づいて、第二端末識別情報を取得する。
【０１７７】
（ステップＳ３６０３）第二端末選択指示送信部３５０１３は、ステップＳ３５０２で取得した第二端末識別情報を含む第二端末選択指示をサーバ装置３５０２へ送信する。ステップＳ３５０１に戻る。
【０１７８】
（ステップＳ３６０４）第一端末３５０１は、終了する指示の入力を受け付けたか否かを判断する。第一端末３５０１は、終了する指示の入力を受け付けた場合、終了する。第一端末３５０１は、終了する指示の入力を受け付けない場合、ステップＳ３６０１に戻る。なお、終了する指示の入力は、第一端末３５０１の電源オフの入力や動作終了の割り込
み等の入力等である。
【０１７９】
次に、本実施の形態におけるサーバ装置３５０２の動作について図３７のフローチャートを用いて説明する。
【０１８０】
（ステップＳ３７０１）第二端末選択指示受信部３５０２１は、第二端末選択指示を第一端末３５０１から受信したか否かを判断する。第二端末選択指示受信部３５０２１は、第二端末選択指示を受信した場合、ステップＳ３７０２に行き、受信しない場合、ステップＳ３７０３に行く。
【０１８１】
（ステップＳ３７０２）選択指示指令部３５０２２は、ステップＳ３７０１で受信した第二端末選択指示に基づいて、「指令」に係わるプログラムをメモリ等の記録媒体からを取得する。
【０１８２】
（ステップＳ３７０３）選択指示送信部９０２３は、ステップＳ３７０２で取得した「指令」を、第二端末選択指示で特定される第二端末３５０３に送信する。ステップＳ３７０１に戻る。
【０１８３】
（ステップＳ３７０４）サーバ受信部３５０２４は、「情報」を第二端末３５０３から受信したか否かを判断する。サーバ受信部３５０２４は、「情報」を受信した場合、ステップＳ３７０５に行き、受信しない場合、ステップＳ３７０６に行く。
【０１８４】
（ステップＳ３７０５）サーバ送信部３５０２５は、ステップＳ３７０４で受信した「情報」を、ディスプレイ３５０４に送信する。ステップＳ３７０１に戻る。
【０１８５】
（ステップＳ３７０６）サーバ装置３５０２は、終了する指示の入力を受け付けたか否かを判断する。サーバ装置３５０２は、終了する指示の入力を受け付けた場合、終了する。サーバ装置３５０２は、終了する指示の入力を受け付けない場合、ステップＳ３７０１に戻る。なお、終了する指示の入力は、サーバ装置３５０２の電源オフの入力や動作終了の割り込み等の入力等である。
【０１８６】
次に、本実施の形態における第二端末３５０３の動作について図３８のフローチャートを用いて説明する。
【０１８７】
（ステップＳ３８０１）選択指示受信部３５０３１は、「指令」をサーバ装置３５０２から受信したか否かを判断する。選択指示受信部３５０３１が「指令」を受信した場合、ステップＳ３７０２に行き、受信しない場合、ステップＳ３８０４に行く。
【０１８８】
（ステップＳ３８０２）第二端情報取得部３５０１２は、ステップＳ３８０１で選択指示受信部３５０３１が受信した「指令」に基づいて、第二ディスプレイ１０２３に表示された「情報」の全部または一部を取得する。
【０１８９】
（ステップＳ３８０３）送信部３５０３３は、ステップＳ３８０２で取得した「情報」をサーバ装置３５０２へ送信する。ステップＳ３８０１に戻る。
【０１９０】
（ステップＳ３８０４）第二端末３５０３は、終了する指示の入力を受け付けたか否かを判断する。第二端末３５０３は、終了する指示の入力を受け付けた場合、終了する。第二端末３５０３は、終了する指示の入力を受け付けない場合、ステップＳ３８０１に戻る。なお、終了する指示の入力は、第二端末３７０１の電源オフの入力や動作終了の割り込み等の入力等である。
【０１９１】
次に、本実施の形態におけるディスプレイ３５０４の動作について図３９のフローチャートを用いて説明する。
【０１９２】
（ステップＳ３９０１）受信部３５０４１は、「情報」をサーバ装置３５０２から受信したか否かを判断する。受信部３５０４１が「情報」を受信した場合、ステップＳ３９０２に行き、受信しない場合、ステップＳ３９０３に行く。
【０１９３】
（ステップＳ３９０２）表示部３５０４２は、ステップＳ３９０１で受信した「情報」を表示する。ステップＳ３９０１に戻る。
【０１９４】
（ステップＳ３９０３）ディスプレイ３５０４は、終了する指示の入力を受け付けたか否かを判断する。ディスプレイ３５０４は、終了する指示の入力を受け付けた場合、終了する。ディスプレイ３５０４は、終了する指示の入力を受け付けない場合、ステップＳ３９０１に戻る。なお、終了する指示の入力は、ディスプレイ３５０４の電源オフの入力や動作終了の割り込み等の入力等である。
【０１９５】
以下、本実施の形態における情報処理システムの具体的な動作について説明する。図４０は、情報処理システムの概念の例を示す図である。図４０において、情報処理システムは、先生用の第一端末３５０１、サーバ装置３５０２、１以上の生徒用の第二端末３５０３、大型プラズマディスプレイ３５０４を有して構成されている。なお、情報処理システムを構成する各々の端末、サーバ装置、大型プラズマディスプレイ等は、ネットワークを介して接続されている。
【０１９６】
図４１は、第一端末３５０１の「オペレーション画面」ウインドウの表示例を示す図である。図４１において、「Ｃ領域」には、生徒用の第二端末３５０３において受け付けられた入力情報が表示されている。なお、入力情報を表示する動作は、実施の形態２において説明しているので省略する。今、「生徒Ｃ」の入力情報を指定する。「生徒Ｃ」の入力情報を指定することは、第二端末選択指示受付部３５０１１が選択の指示を受け付けたことを意味する。「指定する」方法は、表示された「生徒Ｃ」の入力情報を影付き等の強調表示にして、操作ボタン「Ｄ」ボタンをクリックする方法である。なお、指定方法は、上記の方法に限定されず、その他の指定方法でも良い。第二端末選択指示受付部３５０１１が選択の指示を受け付けた結果、「生徒Ｃ」の表示領域の座標「（Ｘ５、Ｙ５）、（Ｘ６、Ｙ６）」が得られる。
【０１９７】
第二端末識別情報取得部３５０１２は、「生徒Ｃ」が指定されたことに基づいて、生徒識別子「Ｃ」を取得する。図４２は、生徒識別子のデータの例を示す。図４２において、データは、生徒識別子、表示領域の座標を有する。具体的に、第二端末識別情報取得部３５０１２は、「生徒Ｃ」の表示領域座標「（Ｘ５、Ｙ５）、（Ｘ６、Ｙ６）」をキーに、生徒識別子「Ｃ」を検索する。第二端末選択指示送信部３５０１３は、生徒識別子「Ｃ」を含む第二端末選択指示をサーバ装置３５０２に送信する。
【０１９８】
第二端末選択指示受付部３５０２１は、生徒識別子「Ｃ」を含む第二端末選択指示を第一端末３５０１から受信する。選択指示指令部３５０２２は、生徒識別子「Ｃ」をキーに、図２４に示すデータを検索し、生徒識別子「Ｃ」のＩＰアドレス「１９２．１６８．１．１３」を取得する。選択指示送信部３５０２３は、ＩＰアドレス「１９２．１６８．１．１３」で識別される第二端末３５０３に「指令」を送信する。ここで「指令」は、第二ディスプレイ１０２３に表示された全ての「情報」をサーバ装置３５０２に送信することを実現させるための指令である。
【０１９９】
選択指示受信部３５０３１は、「指令」をサーバ装置３５０２から受信する。第二情報取得部３５０３２は、受信された「指令」に基づいて、第二ディスプレイ１０２３に表示された全ての「情報」を第二端末３５０３に内蔵のメモリから取得する。送信部３５０３３は、取得された「情報」をサーバ装置３５０２に送信する。図４３は、第二ディスプレイ１０２３の表示例を示す図である。図４３において、第二ディスプレイ１０２３上には、「生徒Ｃ画面」ウインドウが表示されている。したがって、送信される「情報」は、「生徒Ｃ画面」ウインドウに表示された情報の全てである。
【０２００】
サーバ受信部３５０２４は、「情報」を第二端末３５０３から受信する。サーバ送信部
３５０２５は、受信された当該「情報」を大型プラズマディスプレイ３５０４に送信する。
【０２０１】
大型プラズマディスプレイ３５０４は、「情報」を受信し、当該「情報」を表示する。図４４は、大型プラズマディスプレイ３５０４の表示例を示す図である。図４４において、大型プラズマディスプレイ３５０４上には、「生徒Ｃ画面」ウインドウの「情報」が全て表示されている。
【０２０２】
なお、本実施の形態において、大型プラズマディスプレイ３５０４には、第二ディスプレイ１０２３に表示された全部の「情報」が表示されるものだったが、大型プラズマディスプレイ３５０４には、第二ディスプレイ１０２３に表示された一部の「情報」が表示されるものでも良い。かかる場合、「指令」は、第二ディスプレイ１０２３に表示された一部の「情報」をサーバ装置３５０２に送信することを実現させるための指令であっても良い。または、サーバ装置３５０２は、受信した「情報」のうちの一部の情報のみを大型プラズマディスプレイ３５０４に送信するものでも良い。
【０２０３】
また、本実施の形態において、選択された一の第二端末３５０３に表示されている情報が大型プラズマディスプレイ３５０４に表示されるものだったが、１以上の選択された第二端末３５０３に表示されている情報の全部または一部が大型プラズマディスプレイ３５０４に表示されるものでも良い。かかる場合、第二端末選択指示受付部３５０１１は、１以上の第二端末を選択し、第二端末選択指示送信部３５０１３は、１以上の第二端末選択指示をサーバ装置３５０２に送信する。サーバ装置３５０２は、１以上の第二端末選択指示で特定される１以上の第二端末３５０３に、「指令」を送信する。サーバ受信部３５０２４は、当該１以上の第二端末３５０３から受信した１以上の「情報」を受信し、サーバ送信部３５０２５は、当該１以上の「情報」を大型プラズマディスプレイ３５０４に送信する。大型プラズマディスプレイ３５０４は、当該１以上の「情報」を表示する。なお、かかる場合において、大型プラズマディスプレイ３５０４が１以上の「情報」を表示する表示態様は、問わない。
【０２０４】
また、本実施の形態において、第二端末３５０３に表示されている情報が大型プラズマディスプレイ３５０４に表示されるものだったが、第一端末３５０１に表示されている情報の全部または一部が大型プラズマディスプレイ３５０４に表示されるものでも良い。かかる場合、第一端末３５０１は、第一ディスプレイ１０１４に表示されている情報の全部または一部を外部のディスプレイに表示する外部ディスプレイ表示部をさらに具備するものである。外部ディスプレイ表示部は、通常、ＭＰＵやメモリ等から実現され得る。「表示する」ための処理手順は、通常、ソフトウェアで実現され、当該ソフトウェアはＲＯＭ等の記録媒体に記録されている。但し、ハードウェア（専用回路）で実現しても良い。
【０２０５】
以上、本実施の形態によれば、優秀なノートや小テストの模範解答等を大型のディスプレイに表示できる。よって、一部の生徒の優秀なノートを他の生徒に説明して、全生徒の理解度を向上させることができる。また、小テストの優秀答案、模範解答等を表示させて、それらと自分のものを比較させることができ、結果、全生徒の理解度を向上させることができる。
【０２０６】
なお、本実施の形態において、情報処理システムは、サーバ・クライアントシステムで構成されるものだったが、情報処理システムは、サーバ装置３５０２を有しない実施の形態１のような直接に接続される構成でも良い。
【０２０７】
さらに、本実施の形態における動作をソフトウェアで実現した場合のプログラムは、以下のようになる。コンピュータに、第二端末を選択する指示である第二端末選択指示を受け付ける第二端末選択指示受付ステップを実行させるためのプログラムである。
【０２０８】
また、コンピュータに、第二端末選択指示で特定される第二端末に表示されている情報の全部または一部をディスプレイに表示する表示ステップを実行させるためのプログラムである。
【産業上の利用可能性】
【０２０９】
以上のように、本発明にかかる教育用情報処理システムは、教育の効果を向上させる情報処理システム等として有用である。
【図面の簡単な説明】
【０２１０】
【図１】実施の形態１における情報処理装置の構成を示すブロック図
【図２】実施の形態１における情報処理装置の動作について説明するフローチャート
【図３】実施の形態１における第二端末の動作について説明するフローチャート
【図４】実施の形態１における情報処理システムの概念の例を示す図
【図５】実施の形態１における第一ディスプレイの表示例を示す図
【図６】実施の形態１における「情報」のデータ例を示す図
【図７】実施の形態１における「オペレーション画面」ウインドウの表示例を示す図
【図８】実施の形態１における第二ディスプレイの表示例を示す図
【図９】実施の形態２における情報処理システムの構成を示すブロック図
【図１０】実施の形態２における第一端末の動作について説明するフローチャート
【図１１】実施の形態２におけるサーバ装置の動作について説明するフローチャート
【図１２】実施の形態２における情報処理システムの概念の例を示す図
【図１３】実施の形態２における「オペレーション画面」ウインドウの表示例を示す図
【図１４】実施の形態２における「情報」のデータを示す図
【図１５】実施の形態３における情報処理システムの構成を示すブロック図
【図１６】実施の形態３における第一端末の動作について説明するフローチャート
【図１７】実施の形態３におけるサーバ装置の動作について説明するフローチャート
【図１８】実施の形態３における第二端末の動作について説明するフローチャート
【図１９】実施の形態３における「オペレーション画面」ウインドウの表示例を示す図
【図２０】実施の形態３における表示情報識別子と一覧表示の情報のデータの例を示す図
【図２１】実施の形態３における「オペレーション画面」ウインドウの表示例を示す図
【図２２】実施の形態３における「生徒Ａの画面」ウインドウの表示例を示す図
【図２３】実施の形態３における入力情報の例を示す図
【図２４】実施の形態３における入力情報等のデータ例を示す図
【図２５】実施の形態３における入力情報の表示例を示す図
【図２６】実施の形態３における「オペレーション画面」ウインドウの表示例を示す図
【図２７】実施の形態３における「情報」とその表示情報識別子のデータの例を示す図
【図２８】実施の形態３における関連情報のデータの例を示す図
【図２９】実施の形態３における関連情報の表示例を示す図
【図３０】実施の形態３における解答の情報のデータ例を示す図
【図３１】実施の形態３における「採点結果の情報」のデータ例を示す図
【図３２】実施の形態３における関連情報の表示例を示す図
【図３３】実施の形態３における関連情報送信指示受付部の指示の受け付けの例を示す図
【図３４】実施の形態３における表示情報識別子のデータの例を示す図
【図３５】実施の形態４における情報処理システムの構成を示すブロック図
【図３６】実施の形態４における第一端末の動作について説明するフローチャート
【図３７】実施の形態４におけるサーバ装置の動作について説明するフローチャート
【図３８】実施の形態４における第二端末の動作について説明するフローチャート
【図３９】実施の形態４におけるディスプレイの動作について説明するフローチャート
【図４０】実施の形態４における情報処理システムの概念の例を示す図
【図４１】実施の形態４における「オペレーション画面」ウインドウの表示例を示す図
【図４２】実施の形態４における生徒識別子のデータの例を示す図
【図４３】実施の形態４における第二ディスプレイの表示例を示す図
【図４４】実施の形態４における大型プラズマディスプレイの表示例を示す図
【符号の説明】
【０２１１】
１０１、９０１、１５０１、３５０１  第一端末
１０２、９０３、１５０３、３５０３  第二端末
１０１１、９０１１  表示指示受付部
１０１２、９０１２、１５０１２  第一情報表示部
１０１３、９０１３  第一情報格納部
１０１４  第一ディスプレイ
１０１５、９０１５  第一情報送信部
１０２１、９０３１  第二情報受信部
１０２２、９０３２  第二情報表示部
１０２３  第二ディスプレイ
９０２、１５０２、３５０２  サーバ装置
９０２１  表示情報識別子受信部
９０２２  情報取得部
９０２３  第三情報格納部
９０２４  第三情報送信部
１５０１１  情報選択指示受付部
１５０１３  第一入力情報受信部
１５０１４  関連情報送信指示受付部
１５０１５  関連情報送信指示送信部
１５０１６  第一関連情報受信部
１５０１７  第一関連情報表示部
１５０２１  入力情報受信部
１５０２２  情報構成部
１５０２３  入力情報送信部
１５０２４  関連情報送信指示受信部
１５０２５  関連情報取得部
１５０２６  関連情報格納部
１５０２７  関連情報送信部
１５０３１  第二入力受付部
１５０３２  入力情報表示部
１５０３３  第二情報送信部
１５０３４  関連情報受信部
１５０３５  関連情報表示部
３５０４  ディスプレイ
３５０１１  第二端末選択指示受付部
３５０１２  第二端末識別情報取得部
３５０１３  第二端末選択指示送信部
３５０２１  第二端末選択指示受信部
３５０２２  選択指示指令部
３５０２３  選択指示送信部
３５０２４  サーバ受信部
３５０２５  サーバ送信部
３５０３１  選択指示受信部
３５０３２  情報取得部
３５０３３  送信部
３５０４１  受信部
３５０４２  表示部
【図１】
2005043791.tif 000003
【図２】
2005043791.tif 000004
【図３】
2005043791.tif 000005
【図４】
2005043791.tif 000006
【図５】
2005043791.tif 000007
【図６】
2005043791.tif 000008
【図７】
2005043791.tif 000009
【図８】
2005043791.tif 000010
【図９】
2005043791.tif 000011
【図１０】
2005043791.tif 000012
【図１１】
2005043791.tif 000013
【図１２】
2005043791.tif 000014
【図１３】
2005043791.tif 000015
【図１４】
2005043791.tif 000016
【図１５】
2005043791.tif 000017
【図１６】
2005043791.tif 000018
【図１７】
2005043791.tif 000019
【図１８】
2005043791.tif 000020
【図１９】
2005043791.tif 000021
【図２０】
2005043791.tif 000022
【図２１】
2005043791.tif 000023
【図２２】
2005043791.tif 000024
【図２３】
2005043791.tif 000025
【図２４】
2005043791.tif 000026
【図２５】
2005043791.tif 000027
【図２６】
2005043791.tif 000028
【図２７】
2005043791.tif 000029
【図２８】
2005043791.tif 000030
【図２９】
2005043791.tif 000031
【図３０】
2005043791.tif 000032
【図３１】
2005043791.tif 000033
【図３２】
2005043791.tif 000034
【図３３】
2005043791.tif 000035
【図３４】
2005043791.tif 000036
【図３５】
2005043791.tif 000037
【図３６】
2005043791.tif 000038
【図３７】
2005043791.tif 000039
【図３８】
2005043791.tif 000040
【図３９】
2005043791.tif 000041
【図４０】
2005043791.tif 000042
【図４１】
2005043791.tif 000043
【図４２】
2005043791.tif 000044
【図４３】
2005043791.tif 000045
【図４４】
2005043791.tif 000046